(57)【要約】【課題】  通信事業者（キャリア）以外の場所に設置しても、用途に応じて接続情報を管理できる通信接続管理装置を提供する。【解決手段】  ネットワーク交換装置１０は、通信端末４０と通信ネットワーク８０との間に配置され、通信端末４０から通信ネットワーク８０への接続を管理する通信接続管理装置であって、接続を確立するための接続要求を通信端末４０から受信する呼制御情報送受信部１２と、受信した接続要求に含まれる通信の用途に関する用途情報を抽出する用途情報解析部１６と、抽出した用途情報に関連付けて接続要求により確立される接続の接続情報を格納する接続情報蓄積部２２とを備える。【選択図】図１
2005191809.tif 000002
【特許請求の範囲】
【請求項１】
通信端末と通信ネットワークとの間に配置され、前記通信端末から前記通信ネットワークへの接続を管理する通信接続管理装置であって、
前記接続を確立するための接続要求を前記通信端末から受信する接続要求受信手段と、
前記通信端末から受信した接続要求から前記用途情報を除いた接続要求を前記通信ネットワークの局側サーバに送信する接続要求送信手段と、
受信した接続要求に含まれる通信の用途に関する用途情報を抽出する用途情報抽出手段と、
抽出した用途情報に関連付けて前記接続要求により確立される接続の接続情報を格納する接続情報格納手段と、
を備えることを特徴とする通信接続管理装置。
【請求項２】
前記局側サーバから送信される通信料金に関する情報を受信する通信料金情報受信手段を備え、
受信した通信料金に関する情報に基づいて前記用途情報に関連付けて前記接続情報格納手段に格納する接続情報を決定することを特徴とする請求項１に記載の通信接続管理装置。
【請求項３】
通信端末と通信ネットワークとの間に配置され、前記通信端末から前記通信ネットワークへの接続を管理する通信接続管理装置であって、
前記通信端末からの前記接続の送信先に関する情報と前記送信先との間で行われる通信の用途に関する用途情報とを関連付けて格納した送信先別用途情報格納手段と、
前記接続を確立するための接続要求を前記通信端末から受信する接続要求受信手段と、
受信した接続要求の送信先に対応する用途情報を前記送信先別用途情報格納手段から抽出する用途情報抽出手段と、
抽出した用途情報に関連付けて前記接続要求により確立される接続の接続情報を格納する接続情報格納手段と、
を備えることを特徴とする通信接続管理装置。
【請求項４】
通信端末と通信ネットワークとの間に配置され、前記通信端末から前記通信ネットワークへの接続を管理する通信接続管理装置であって、
前記通信端末からの接続の時間帯に関する情報と前記時間帯に行われる通信の用途に関する用途情報とを関連付けて格納した時間帯別用途情報格納手段と、
前記接続を確立するための接続要求を前記通信端末から受信する接続要求受信手段と、
前記接続要求を受信した時刻に対応する用途情報を前記時間帯別格納手段から抽出する用途情報抽出手段と、
抽出した用途情報に関連付けて前記接続要求により確立される接続の接続情報を格納する接続情報格納手段と、
を備えることを特徴とする通信接続管理装置。
【請求項５】
前記通信ネットワークの局側サーバから送信される通信料金に関する情報を受信する通信料金受信手段を備え、
受信した通信料金に関する情報に基づいて前記用途情報に関連付けて前記接続情報格納手段に格納する接続情報を決定することを特徴とする請求項３または４に記載の通信接続管理装置。
【請求項６】
前記用途情報に関連付けて、通信可能な上限時間および通信時間が前記上限時間に達したときの変更先の用途情報を格納した用途変更情報格納手段と、
前記接続要求により確立される接続についての前記用途情報に対応する上限時間および変更先用途情報を前記用途変更情報格納手段から抽出する用途変更情報抽出手段と、
を備え、
前記通信時間が前記上限時間を超えた場合に、当該超過分の通信の接続情報は前記変更先の用途情報に関連付けて前記接続情報格納手段に格納することを特徴とする請求項１または３または４に記載の通信接続管理装置。
【請求項７】
前記用途情報に関連付けて、通信可能な上限料金および通信料金が前記上限料金に達したときの変更先の用途情報を格納した用途変更情報格納手段と、
前記接続要求により確立される接続についての前記用途情報に対応する上限料金および変更先用途情報を前記用途変更情報格納手段から抽出する用途変更情報抽出手段と、
を備え、
前記通信料金が前記上限料金を超えた場合に、当該超過分の通信の接続情報は前記変更先の用途情報に関連付けて前記接続情報格納手段に格納することを特徴とする請求項１または３または４に記載の通信接続管理装置。
【請求項８】
通信端末と通信ネットワークとの間に配置され、前記通信端末から前記通信ネットワークへの接続を管理する通信接続管理装置であって、
通信制御の内容に関する情報を通信の用途に関連付けて格納した通信制御情報格納手段と、
前記接続を確立するための接続要求を前記通信端末から受信する接続要求受信手段と、
受信した接続要求に含まれる通信の用途に関する用途情報を抽出する用途情報抽出手段と、
抽出した用途情報に対応する通信制御情報を前記通信制御情報格納手段から抽出し、抽出した通信制御情報に基づいて前記接続要求により確立が要求された接続についての通信制御を行う通信制御手段と、
を備えることを特徴とする通信接続管理装置。
【請求項９】
通信端末と通信ネットワークとの間に配置され、前記通信端末から前記通信ネットワークへの接続を管理する通信接続管理装置であって、
前記通信端末からの前記接続の送信先に関する情報と前記送信先との間で行われる通信の用途に関する用途情報とを関連付けて格納した送信先別用途情報格納手段と、
通信制御の内容に関する情報を通信の用途に関連付けて格納した通信制御情報格納手段と、
前記接続を確立するための接続要求を前記通信端末から受信する接続要求受信手段と、
受信した接続要求の送信先に対応する用途情報を前記送信先別用途情報格納手段から抽出する用途情報抽出手段と、
抽出した用途情報に対応する通信制御情報を前記通信制御情報格納手段から抽出し、抽出した通信制御情報に基づいて前記接続要求により確立が要求された接続についての通信制御を行う通信制御手段と、
を備えることを特徴とする通信接続管理装置。
【請求項１０】
通信端末と通信ネットワークとの間に配置され、前記通信端末から前記通信ネットワークへの接続を管理する通信接続管理装置であって、
前記通信端末からの前記接続の時間帯に関する情報と前記時間帯に行われる通信の用途に関する用途情報とを関連付けて格納した時間帯別用途情報格納手段と、
通信制御の内容に関する情報を通信の用途に関連付けて格納した通信制御情報格納手段と、
前記接続を確立するための接続要求を前記通信端末から受信する接続要求受信手段と、
前記接続要求を受信した時刻に対応する用途情報を前記時間帯別用途情報格納手段から抽出する用途情報抽出手段と、
抽出した用途情報に対応する通信制御情報を前記通信制御情報格納手段から抽出し、抽出した通信制御情報に基づいて前記接続要求により確立が要求された接続についての通信制御を行う通信制御手段と、
を備えることを特徴とする通信接続管理装置。
【請求項１１】
前記通信制御情報格納手段は、通信の接続を拒否または切断する時間帯に関する通信不可時間帯情報を前記用途情報に関連付けて格納し、
前記通信制御手段は、前記用途情報抽出手段によって抽出した用途情報に対応する通信不可時間帯情報を抽出し、現在時刻が抽出した通信不可時間帯に含まれるときに通信の接続を拒否または切断する、
ことを特徴とする請求項８〜１０のいずれかに記載の通信接続管理装置。
【請求項１２】
前記通信制御情報格納手段は、通信時間の上限に関する上限時間情報を前記用途情報に関連付けて格納し、
前記通信制御手段は、前記用途情報抽出手段によって抽出した用途情報に対応する上限時間情報を抽出し、通信時間が前記上限時間に達したときに通信の接続を拒否または切断する、
ことを特徴とする請求項８〜１０のいずれかに記載の通信接続管理装置。
【請求項１３】
前記通信制御情報格納手段は、通信可能な上限料金に関する上限料金情報を前記用途情報に関連付けて格納し、
前記通信制御手段は、前記用途情報抽出手段によって抽出した用途情報に対応する上限料金情報を抽出し、通信料金が前記上限料金に達したときに通信の接続を拒否または切断する、
ことを特徴とする請求項８〜１０のいずれかに記載の通信接続管理装置。
【請求項１４】
通信ネットワークへの接続を確立するための接続要求に、この接続により行われる通信の用途に関する用途情報を書き込む接続要求作成手段と、
前記通信ネットワークへの接続を管理する通信接続管理装置に作成した接続要求を送信する接続要求送信手段と、
前記接続要求により確立される接続により通信を行う通信手段と、
を備えることを特徴とする通信端末。
【請求項１５】
通信ネットワークとの間で確立される接続により行われる通信の用途に関する情報を決定する用途情報決定手段と、
前記接続を確立するための接続要求を前記通信ネットワークの局側サーバへ送信する接続要求送信手段と、
前記接続要求により確立される接続により通信を行う通信手段と、
前記用途情報決定手段により決定された用途情報に関連付けて、前記接続の接続情報を格納する接続情報格納手段と、
を備えることを特徴とする通信端末。
【請求項１６】
前記局側サーバから送信される通信の料金に関する情報を受信する通信料金情報受信手段を備え、
前記接続情報として通信料金に関する情報に基づいて前記接続情報格納手段に格納する接続情報を決定することを特徴とする請求項１５に記載の通信端末。
【請求項１７】
前記用途情報に関連付けて、通信可能な上限時間および通信時間が前記上限時間に達したときの変更先の用途情報を格納した用途変更情報格納手段と、
前記接続要求により確立される接続についての前記用途情報に対応する上限時間および変更先用途情報を前記用途変更情報格納手段から抽出する用途変更情報抽出手段と、
を備え、
前記通信時間が前記上限時間を超えた場合に、当該超過分の通信の接続情報は前記変更先の用途情報に関連付けて前記接続情報格納手段に格納することを特徴とする請求項１５に記載の通信端末。
【請求項１８】
前記用途情報に関連付けて、通信可能な上限料金および通信料金が前記上限料金に達したときの変更先の用途情報を格納した用途変更情報格納手段と、
前記接続要求により確立される接続についての前記用途情報に対応する上限料金および変更先用途情報を前記用途変更情報格納手段から抽出する用途変更情報抽出手段と、
を備え、
前記通信料金が前記上限料金を超えた場合に、当該超過分の通信の接続情報は前記変更先の用途情報に関連付けて前記接続情報格納手段に格納することを特徴とする請求項１５に記載の通信端末。
【請求項１９】
通信制御の内容に関する情報を通信の用途に関連付けて格納した通信制御情報格納手段と、
通信ネットワークとの間で確立される接続により行われる通信の用途に関する情報を決定する用途情報決定手段と、
前記用途情報決定手段により決定された用途に関する情報に対応する通信制御の内容を前記通信制御情報格納手段から抽出し、抽出した通信制御情報に基づいて前記接続の通信制御を行う通信制御手段と、
を備えることを特徴とする通信端末。
【請求項２０】
前記通信制御情報格納手段は、通信の接続を拒否または切断する時間帯に関する通信不可時間帯情報を前記用途情報に関連付けて格納し、
前記通信制御手段は、前記用途情報決定手段により決定された通信の用途に関する用途情報に対応する通信不可時間帯情報を抽出し、現在時刻が抽出した通信不可時間帯に含まれるときに通信の接続を拒否または切断する、
ことを特徴とする請求項１９に記載の通信端末。
【請求項２１】
前記通信制御情報格納手段は、通信時間の上限に関する上限時間情報を前記用途情報に関連付けて格納し、
前記通信制御手段は、前記用途情報決定手段により決定された通信の用途に関する用途情報に対応する上限時間情報を抽出し、通信時間が前記上限時間に達したときに通信の接続を拒否または切断する、
ことを特徴とする請求項１９に記載の通信端末。
【請求項２２】
前記通信制御情報格納手段は、通信可能な上限料金に関する上限料金情報を前記用途情報に関連付けて格納し、
前記通信制御手段は、前記用途情報決定手段により決定された通信の用途に関する用途情報に対応する上限料金情報を抽出し、通信料金が前記上限料金に達したときに通信の接続を拒否または切断する、
ことを特徴とする請求項１９に記載の通信端末。
【請求項２３】
前記接続の送信先に関する情報と前記送信先との間で行われる通信の用途に関する用途情報とを関連付けて格納した送信先別用途情報格納手段を備え、
前記用途情報決定手段は、前記接続を確立するための接続要求の送信先に対応する用途情報を前記送信先別用途情報格納手段から抽出して決定することを特徴とする請求項１４，１５，１９のいずれかに記載の通信端末。
【請求項２４】
前記接続の時間帯に関する情報と前記時間帯に行われる通信の用途に関する用途情報とを関連付けて格納した時間帯別用途情報格納手段を備え、
前記用途情報決定手段は、前記接続を確立する指示を受け付けた時刻に対応する用途情報を前記時間帯別格納手段から抽出して決定することを特徴とする請求項１４，１５，１９のいずれかに記載の通信端末。
【請求項２５】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
受信した接続要求に含まれる通信の用途に関する用途情報を抽出する用途情報抽出ステップと、
抽出した用途情報に関連付けて前記接続要求により確立される接続の接続情報を格納する接続情報格納ステップと、
を備えることを特徴とする通信接続管理方法。
【請求項２６】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
前記通信端末からの前記接続の送信先に関する情報と前記送信先との間で行われる通信の用途に関する用途情報とを関連付けて格納した送信先別用途情報格納手段から、受信した接続要求の送信先に対応する用途情報を抽出する用途情報抽出ステップと、
抽出した用途情報に関連付けて前記接続要求により確立される接続の接続情報を格納する接続情報格納ステップと、
を備えることを特徴とする通信接続管理方法。
【請求項２７】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
前記通信端末からの接続の時間帯に関する情報と前記時間帯に行われる通信の用途に関する用途情報とを関連付けて格納した時間帯別用途情報格納手段から、前記接続要求を受信した時刻に対応する用途情報を抽出する用途情報抽出ステップと、
抽出した用途情報に関連付けて前記接続要求により確立される接続の接続情報を格納する接続情報格納ステップと、
を備えることを特徴とする通信接続管理方法。
【請求項２８】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
受信した接続要求に含まれる通信の用途に関する用途情報を抽出する用途情報抽出ステップと、
通信制御の内容に関する情報を通信の用途に関連付けて格納した前記通信制御情報格納手段から、抽出した用途情報に対応する通信制御情報を抽出し、抽出した通信制御情報に基づいて前記接続要求により確立が要求された接続についての通信制御を行う通信制御ステップと、
を備えることを特徴とする通信接続管理方法。
【請求項２９】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
前記通信端末からの前記接続の送信先に関する情報と前記送信先との間で行われる通信の用途に関する用途情報とを関連付けて格納した前記送信先別用途情報格納手段から、受信した接続要求の送信先に対応する用途情報を抽出する用途情報抽出ステップと、
通信制御の内容に関する情報を通信の用途に関連付けて格納した通信制御情報格納手段から、前記用途情報に対応する通信制御情報を抽出し、抽出した通信制御情報に基づいて前記接続要求により確立が要求された接続についての通信制御を行う通信制御ステップと、
を備えることを特徴とする通信接続管理方法。
【請求項３０】
通信端末と通信ネットワークとの間に配置された通信接続管理装置によって、前記通信端末から前記通信ネットワークへの接続を管理する方法であって、
前記接続を確立するための接続要求を前記通信端末から受信する接続要求受信ステップと、
前記通信端末からの前記接続の時間帯に関する情報と前記時間帯に行われる通信の用途に関する用途情報とを関連付けて格納した時間帯別用途情報格納手段から、前記接続要求を受信した時刻に対応する用途情報を抽出する用途情報抽出ステップと、
通信制御の内容に関する情報を通信の用途に関連付けて格納した通信制御情報格納手段から、前記用途情報に対応する通信制御情報を抽出し、抽出した通信制御情報に基づいて前記接続要求により確立が要求された接続についての通信制御を行う通信制御ステップと、
を備えることを特徴とする通信接続管理方法。
【請求項３１】
通信端末が、通信ネットワークへの接続を確立するための接続要求に、この接続により行われる通信の用途に関する用途情報を書き込む接続要求作成ステップと、
前記通信端末が、前記通信ネットワークへの接続を管理する通信接続管理装置に作成した接続要求を送信する接続要求送信ステップと、
前記通信端末が、前記接続要求により確立される接続により通信を行う通信ステップと、
を備えることを特徴とする通信方法。
【請求項３２】
通信端末が、通信ネットワークとの間で確立される接続により行われる通信の用途に関する情報を決定する用途情報決定ステップと、
前記通信端末が、前記接続を確立するための接続要求を前記通信ネットワークの局側サーバへ送信する接続要求送信ステップと、
前記通信端末が、前記接続要求により確立される接続により通信を行う通信ステップと、
前記通信端末が、前記用途情報決定ステップにおいて決定された用途情報に関連付けて、前記接続の接続情報を格納する接続情報格納ステップと、
を備えることを特徴とする通信方法。
【請求項３３】
通信端末が、通信ネットワークとの間で確立される接続により行われる通信の用途に関する情報を決定する用途情報決定ステップと、
前記通信端末が、前記用途情報決定ステップにおいて決定された用途に関する情報に対応する通信制御の内容を、通信制御の内容に関する情報を通信の用途に関連付けて格納した通信制御情報格納手段から抽出し、抽出した通信制御情報に基づいて前記接続の通信制御を行う通信制御ステップと、
を備えることを特徴とする通信方法。
【発明の詳細な説明】
【技術分野】
【０００１】
本発明は、通信端末から通信ネットワークへの接続を管理する通信接続管理装置および通信接続管理方法に関する。
【背景技術】
【０００２】
従来から、携帯電話などの通信端末から通信を行う際に、通信相手や通信時間の情報を管理する装置が知られている。このような管理装置としては、例えば、相手先の電話番号の前に相手先を分類する番号（例えば１〜９のいずれか）をユーザがダイアルすることにより、その通話料金をダイアルした番号ごとに通信事業者（キャリア）が集計し、例えば１ヶ月ごとにユーザに知らせるシステムが存在する。
【０００３】
また、特許文献１には、付加価値通話の料金請求方法の発明が開示されている。この発明では、付加価値サービスを提供するスポンサーから利用者に対する料金請求方法として、随時、通話料金請求パラメータを使用してスポンサーが特定した独立の料金請求レコードを作成し、柔軟な料金請求を可能とする。
【特許文献１】特開平７−７４８５５号公報
【発明の開示】
【発明が解決しようとする課題】
【０００４】
しかし、ネットワークを所有している通信事業者（キャリア）以外は、接続情報を管理することができなかったため、上記したように通話料金を集計してユーザに知らせることができなかった。キャリアの提案する料金通知サービス以外の様々な形態の料金通知をユーザが望んでも、多数のユーザを抱えるキャリアではそのような要望に柔軟に応えることができなかった。また、一つの回線を複数の分類に使い分けるためには、キャリア側に分類を開示する必要があり、分類をユーザローカルに秘密にしたい場合には、一つの回線の使い分けは不可能であった。
【０００５】
また、上記システムでは、ユーザが分類するための番号を通信ごとにダイアルする必要があった。さらに、ユーザが相手先を分類する番号をダイアルしても、例えば、相手先に応じて定められた通信料金の上限額を超えた場合に通信が自動的に停止する、または設定された転送先に転送するなど、相手先の分類に応じた通信制御を行うことができなかった。
【０００６】
また、特許文献１に記載された発明は、通常のネットワーク交換システムの通信においては利用できない。
【０００７】
本発明は上記のような事情に鑑み、キャリア以外の場所に設置しても接続情報を管理できる通信接続管理装置、通信端末、および通信接続管理方法を提供することを目的とする。また、本発明は、ユーザが相手先を分類する番号をダイアルしないで通信の分類を行えることを目的とする。本発明は、また、通信の用途に応じた通信制御を可能とすることを目的とする。
【課題を解決するための手段】
【０００８】
本発明の通信接続管理装置は、通信端末と通信ネットワークとの間に配置され、前記通信端末から前記通信ネットワークへの接続を管理する通信接続管理装置であって、前記接続を確立するための接続要求を前記通信端末から受信する接続要求受信手段と、前記通信端末から受信した接続要求から前記用途情報を除いた接続要求を前記通信ネットワークの局側サーバに送信する接続要求送信手段と、受信した接続要求に含まれる通信の用途に関する用途情報を抽出する用途情報抽出手段と、抽出した用途情報に関連付けて前記接続要求により確立される接続の接続情報を格納する接続情報格納手段とを備える。
【０００９】
このように、接続要求に含まれる用途情報を抽出する構成により、抽出した用途情報に基づいて接続要求により確立される接続の接続情報を管理することができる。これにより、本管理装置を通信端末から通信事業者（キャリア）のネットワークまでの間のどこに設置しても（本管理装置がキャリアのサーバであってもローカルのサーバであっても）用途ごとの接続情報を管理できる。ここで、用途情報とは、例えば、「社用」「私用」などを分類するための情報である。このような用途情報を管理することにより、例えば、用途に応じて通信料金の請求先を変えることが可能となる。また、接続情報とは、例えば、通信時間や通信料金に関する情報である。
【００１０】
上記通信接続管理装置は、前記局側サーバから送信される通信料金に関する情報を受信する通信料金情報受信手段を備え、受信した通信料金に関する情報に基づいて前記用途情報に関連付けて前記接続情報格納手段に格納する接続情報を決定してもよい。
【００１１】
このように、局側サーバから通信料金に関する情報を受信する構成により、本管理装置をホームサーバ等のローカルサーバとしても通信料金情報を管理することが可能となる。通信料金に関する情報は、通信終了時に受信してもよいし、通信開始時に料金算出の方法に関する情報を受信してもよい。
【００１２】
本発明の別の態様に係る通信接続管理装置は、通信端末と通信ネットワークとの間に配置され、前記通信端末から前記通信ネットワークへの接続を管理する通信接続管理装置であって、前記通信端末からの前記接続の送信先に関する情報と前記送信先との間で行われる通信の用途に関する用途情報とを関連付けて格納した送信先別用途情報格納手段と、前記接続を確立するための接続要求を前記通信端末から受信する接続要求受信手段と、受信した接続要求の送信先に対応する用途情報を前記送信先別用途情報格納手段から抽出する用途情報抽出手段と、抽出した用途情報に関連付けて前記接続要求により確立される接続の接続情報を格納する接続情報格納手段とを備える。
【００１３】
このように、接続の送信先に関する情報に基づいて用途を決定する構成により、通信端末からの接続要求に用途情報が含まれていなくても、あるいはユーザが明示的に各接続について用途を指定しなくても、用途情報を抽出できる。そして、接続要求により確立される接続の接続情報を抽出した用途情報に基づいて管理することができる。これにより、本管理装置を通信端末から通信事業者（キャリア）のネットワークまでの間のどこに設置しても（本管理装置がキャリアのサーバであってもローカルのサーバであっても）用途ごとの接続情報を管理できる。なお、用途情報と送信先の情報との関連付けは、例えば、ウェブを通じて設定することが可能である。
【００１４】
本発明の別の態様に係る通信接続管理装置は、通信端末と通信ネットワークとの間に配置され、前記通信端末から前記通信ネットワークへの接続を管理する通信接続管理装置であって、前記通信端末からの接続の時間帯に関する情報と前記時間帯に行われる通信の用途に関する用途情報とを関連付けて格納した時間帯別用途情報格納手段と、前記接続を確立するための接続要求を前記通信端末から受信する接続要求受信手段と、前記接続要求を受信した時刻に対応する用途情報を前記時間帯別格納手段から抽出する用途情報抽出手段と、抽出した用途情報に関連付けて前記接続要求により確立される接続の接続情報を格納する接続情報格納手段とを備える。
【００１５】
このように、接続要求を受信した時刻に関する情報に基づいて用途を決定する構成により、通信端末からの接続要求に用途情報が含まれていなくても、あるいはユーザが明示的に各接続について用途を指定しなくても、用途情報を抽出できる。そして、接続要求により確立される接続の接続情報を抽出した用途情報に基づいて管理することができる。これにより、本管理装置を通信端末から通信事業者（キャリア）のネットワークまでの間のどこに設置しても（本管理装置がキャリアのサーバであってもローカルのサーバであっても）用途ごとの接続情報を管理できる。なお、用途情報と接続の時間帯の情報との関連付けは、例えば、ウェブを通じて設定することが可能である。
【００１６】
上記通信接続管理装置は、前記通信ネットワークの局側サーバから送信される通信料金に関する情報を受信する通信料金受信手段を備え、受信した通信料金に関する情報に基づいて前記用途情報に関連付けて前記接続情報格納手段に格納する接続情報を決定してもよい。
【００１７】
このように、局側サーバから通信料金に関する情報を受信する構成により、本管理装置をホームサーバ等のローカルサーバとしても通信料金情報を管理することが可能となる。通信料金に関する情報は、通信終了時に受信してもよいし、通信開始時に料金算出の方法に関する情報を受信してもよい。
【００１８】
上記通信接続管理装置は、前記用途情報に関連付けて、通信可能な上限時間および通信時間が前記上限時間に達したときの変更先の用途情報を格納した用途変更情報格納手段と、前記接続要求により確立される接続についての前記用途情報に対応する上限時間および変更先用途情報を前記用途変更情報格納手段から抽出する用途変更情報抽出手段とを備え、前記通信時間が前記上限時間を超えた場合に、当該超過分の通信の接続情報は前記変更先の用途情報に関連付けて前記接続情報格納手段に格納してもよい。
【００１９】
この構成により、所定の用途における通信時間が上限に達した場合に、超過分の接続については変更先の用途として接続情報を格納することができる。これにより、例えば、社用という用途での通信時間の上限を設定しておき、それを超える接続については私用という用途に切り替えて接続情報を格納することができる。なお、通信時間が上限を達したか否かの判断に基づく用途の切り替えは、接続要求に基づく接続時または通信中のいずれも行うことができる。
【００２０】
上記通信接続管理装置は、前記用途情報に関連付けて、通信可能な上限料金および通信料金が前記上限料金に達したときの変更先の用途情報を格納した用途変更情報格納手段と、前記接続要求により確立される接続についての前記用途情報に対応する上限料金および変更先用途情報を前記用途変更情報格納手段から抽出する用途変更情報抽出手段とを備え、前記通信料金が前記上限料金を超えた場合に、当該超過分の通信の接続情報は前記変更先の用途情報に関連付けて前記接続情報格納手段に格納してもよい。
【００２１】
この構成により、所定の用途における通信料金が上限に達した場合に、超過分の接続については変更先の用途として接続情報を格納することができる。これにより、例えば、社用という用途での通信料金の上限を設定しておき、それを超える接続については私用という用途に切り替えて接続情報を格納することができる。なお、通信料金が上限を達したか否かの判断に基づく用途の切り替えは、接続要求に基づく接続時または通信中のいずれも行うことができる。
【００２２】
本発明の別の態様に係る通信接続管理装置は、通信端末と通信ネットワークとの間に配置され、前記通信端末から前記通信ネットワークへの接続を管理する通信接続管理装置であって、通信制御の内容に関する情報を通信の用途に関連付けて格納した通信制御情報格納手段と、前記接続を確立するための接続要求を前記通信端末から受信する接続要求受信手段と、受信した接続要求に含まれる通信の用途に関する用途情報を抽出する用途情報抽出手段と、抽出した用途情報に対応する通信制御情報を前記通信制御情報格納手段から抽出し、抽出した通信制御情報に基づいて前記接続要求により確立が要求された接続についての通信制御を行う通信制御手段とを備える。
【００２３】
この構成により、接続要求により確立される接続により行われる通信の用途に応じて、接続要求により確立が要求された接続の通信制御を行うことが可能となる。また、この通信制御は、本管理装置が通信端末から通信事業者（キャリア）のネットワークまでの間のどこに設置されても（本管理装置がキャリアのサーバであってもローカルのサーバであっても）実現可能である。さらに、用途情報が含まれる接続要求を受信する構成により、接続要求の受信時点から通信制御を行うことができる。これにより、例えば、通信の接続拒否などの制御を行うことができる。
【００２４】
本発明の別の態様に係る通信接続管理装置は、通信端末と通信ネットワークとの間に配置され、前記通信端末から前記通信ネットワークへの接続を管理する通信接続管理装置であって、前記通信端末からの前記接続の送信先に関する情報と前記送信先との間で行われる通信の用途に関する用途情報とを関連付けて格納した送信先別用途情報格納手段と、通信制御の内容に関する情報を通信の用途に関連付けて格納した通信制御情報格納手段と、前記接続を確立するための接続要求を前記通信端末から受信する接続要求受信手段と、受信した接続要求の送信先に対応する用途情報を前記送信先別用途情報格納手段から抽出する用途情報抽出手段と、抽出した用途情報に対応する通信制御情報を前記通信制御情報格納手段から抽出し、抽出した通信制御情報に基づいて前記接続要求により確立が要求された接続についての通信制御を行う通信制御手段とを備える。
【００２５】
この構成により、接続要求により確立される接続により行われる通信の用途に応じて、接続要求により確立が要求された接続の通信制御を行うことが可能となる。また、接続の送信先の情報に基づいて用途を決定する構成により、接続要求に用途情報が入っていなくても、あるいはユーザが接続毎に用途を指定しなくても、接続要求に基づいて用途情報を取得できるので、接続要求の受信時点から通信制御を行うことができる。これにより、例えば、通信の接続拒否などの制御を行うことができる。
【００２６】
本発明の別の態様に係る通信接続管理装置は、通信端末と通信ネットワークとの間に配置され、前記通信端末から前記通信ネットワークへの接続を管理する通信接続管理装置であって、前記通信端末からの前記接続の時間帯に関する情報と前記時間帯に行われる通信の用途に関する用途情報とを関連付けて格納した時間帯別用途情報格納手段と、通信制御の内容に関する情報を通信の用途に関連付けて格納した通信制御情報格納手段と、前記接続を確立するための接続要求を前記通信端末から受信する接続要求受信手段と、前記接続要求を受信した時刻に対応する用途情報を前記時間帯別用途情報格納手段から抽出する用途情報抽出手段と、抽出した用途情報に対応する通信制御情報を前記通信制御情報格納手段から抽出し、抽出した通信制御情報に基づいて前記接続要求により確立が要求された接続についての通信制御を行う通信制御手段とを備える。
【００２７】
この構成により、接続要求により確立される接続により行われる通信の用途に応じて、接続要求により確立が要求された接続の通信制御を行うことが可能となる。また、接続要求の時刻の情報に基づいて用途を決定する構成により、接続要求に基づいて用途情報を取得できるので、接続要求の受信時点から通信制御を行うことができる。これにより、例えば、通信の接続拒否などの制御を行うことができる。
【００２８】
前記通信制御情報格納手段は、通信の接続を拒否または切断する時間帯に関する通信不可時間帯情報を前記用途情報に関連付けて格納し、前記通信制御手段は、前記用途情報抽出手段によって抽出した用途情報に対応する通信不可時間帯情報を抽出し、現在時刻が抽出した通信不可時間帯に含まれるときに通信の接続を拒否または切断してもよい。
【００２９】
この構成により、用途に応じて通信不可能な時間帯を設定することができる。例えば、社用という用途については就業時間以外は通信不可能とすることができ、就業時間以外の社用での通信を拒否することができる。
【００３０】
前記通信制御情報格納手段は、通信時間の上限に関する上限時間情報を前記用途情報に関連付けて格納し、前記通信制御手段は、前記用途情報抽出手段によって抽出した用途情報に対応する上限時間情報を抽出し、通信時間が前記上限時間に達したときに通信の接続を拒否または切断してもよい。
【００３１】
この構成により、用途に応じて通信時間の上限を設定することができる。例えば、社用という用途については１０時間までという設定を行え、１０時間を超える社用での通信を拒否することができる。
【００３２】
前記通信制御情報格納手段は、通信可能な上限料金に関する上限料金情報を前記用途情報に関連付けて格納し、前記通信制御手段は、前記用途情報抽出手段によって抽出した用途情報に対応する上限料金情報を抽出し、通信料金が前記上限料金に達したときに通信の接続を拒否または切断してもよい。
【００３３】
この構成により、用途に応じて通信料金の上限を設定することができる。例えば、家庭内での使用において、子供による通信の使用は２０００円までという設定を行え、上限料金を超える子供による通信を拒否することができる。
【００３４】
本発明の通信端末は、通信ネットワークへの接続を確立するための接続要求に、この接続により行われる通信の用途に関する用途情報を書き込む接続要求作成手段と、前記通信ネットワークへの接続を管理する通信接続管理装置に作成した接続要求を送信する接続要求送信手段と、前記接続要求により確立される接続により通信を行う通信手段とを備える。
【００３５】
このように用途情報を含めた接続要求を送信することにより、接続情報を管理する通信接続管理装置が通信網上のどこにあっても、用途情報に基づいて接続情報を管理することができる。
【００３６】
本発明の別の態様に係る通信端末は、通信ネットワークとの間で確立される接続により行われる通信の用途に関する情報を決定する用途情報決定手段と、前記接続を確立するための接続要求を前記通信ネットワークの局側サーバへ送信する接続要求送信手段と、前記接続要求により確立される接続により通信を行う通信手段と、前記用途情報決定手段により決定された用途情報に関連付けて、前記通信の接続情報を格納する接続情報格納手段とを備える。
【００３７】
このように用途に応じて接続情報を格納することにより、キャリアに用途情報を開示することなく、通信端末内部に接続情報を管理できる。
【００３８】
上記通信端末は、前記局側サーバから送信される通信の料金に関する情報を受信する通信料金情報受信手段を備え、前記接続情報として通信料金に関する情報に基づいて前記接続情報格納手段に格納する接続情報を決定してもよい。
【００３９】
このように、局側サーバから通信料金に関する情報を受信する構成により、通信料金情報を管理することが可能となる。通信料金に関する情報は、通信終了時に受信してもよいし、通信開始時に料金算出の方法に関する情報を受信してもよい。
【００４０】
上記通信端末は、前記用途情報に関連付けて、通信可能な上限時間および通信時間が前記上限時間に達したときの変更先の用途情報を格納した用途変更情報格納手段と、前記接続要求により確立される接続についての前記用途情報に対応する上限時間および変更先用途情報を前記用途変更情報格納手段から抽出する用途変更情報抽出手段とを備え、前記通信時間が前記上限時間を超えた場合に、当該超過分の通信の接続情報は前記変更先の用途情報に関連付けて前記接続情報格納手段に格納してもよい。
【００４１】
この構成により、所定の用途における通信時間が上限に達した場合に、超過分の接続については変更先の用途として接続情報を格納することができる。これにより、例えば、社用という用途での通信時間の上限を設定しておき、それを超える接続については私用という用途に切り替えて接続情報を格納することができる。なお、通信時間が上限を達したか否かの判断に基づく用途の切り替えは、通信の接続時または通信中のいずれも行うことができる。
【００４２】
上記通信端末は、前記用途情報に関連付けて、通信可能な上限料金および通信料金が前記上限料金に達したときの変更先の用途情報を格納した用途変更情報格納手段と、前記接続要求により確立される接続についての前記用途情報に対応する上限料金および変更先用途情報を前記用途変更情報格納手段から抽出する用途変更情報抽出手段とを備え、前記通信料金が前記上限料金を超えた場合に、当該超過分の通信の接続情報は前記変更先の用途情報に関連付けて前記接続情報格納手段に格納してもよい。
【００４３】
この構成により、所定の用途における通信料金が上限に達した場合に、超過分の接続については変更先の用途として接続情報を格納することができる。これにより、例えば、社用という用途での通信料金の上限を設定しておき、それを超える接続については私用という用途に切り替えて接続情報を格納することができる。なお、通信料金が上限を達したか否かの判断に基づく用途の切り替えは、通信の接続時または通信中のいずれも行うことができる。
【００４４】
本発明の別の態様に係る通信端末は、通信制御の内容に関する情報を通信の用途に関連付けて格納した通信制御情報格納手段と、通信ネットワークとの間で確立される接続により行われる通信の用途に関する情報を決定する用途情報決定手段と、前記用途情報決定手段により決定された用途に関する情報に対応する通信制御の内容を前記通信制御情報格納手段から抽出し、抽出した通信制御情報に基づいて前記接続の通信制御を行う通信制御手段とを備える。
【００４５】
この構成により、接続要求により確立される接続により行われる通信の用途に応じて、接続要求により確立が要求された接続の通信制御を行うことが可能となる。
【００４６】
前記通信制御情報格納手段は、通信の接続を拒否または切断する時間帯に関する通信不可時間帯情報を前記用途情報に関連付けて格納し、前記通信制御手段は、前記用途情報決定手段により決定された通信の用途に関する用途情報に対応する通信不可時間帯情報を抽出し、現在時刻が抽出した通信不可時間帯に含まれるときに通信の接続を拒否または切断してもよい。
【００４７】
この構成により、用途に応じて通信不可能な時間帯を設定することができる。例えば、社用という用途については就業時間以外は通信不可能とすることができ、就業時間以外の社用での接続を拒否することができる。
【００４８】
前記通信制御情報格納手段は、通信時間の上限に関する上限時間情報を前記用途情報に関連付けて格納し、前記通信制御手段は、前記用途情報決定手段により決定された通信の用途に関する用途情報に対応する上限時間情報を抽出し、通信時間が前記上限時間に達したときに通信の接続を拒否または切断してもよい。
【００４９】
この構成により、用途に応じて通信時間の上限を設定することができる。例えば、社用という用途については１０時間までというように設定でき、１０時間を超える社用での接続を拒否することができる。
【００５０】
前記通信制御情報格納手段は、通信可能な上限料金に関する上限料金情報を前記用途情報に関連付けて格納し、前記通信制御手段は、前記用途情報決定手段により決定された通信の用途に関する用途情報に対応する上限料金情報を抽出し、通信料金が前記上限料金に達したときに通信の接続を拒否または切断してもよい。
【００５１】
この構成により、用途に応じて通信料金の上限を設定することができる。例えば、家庭内での使用において、子供による通信の使用は２０００円までという設定が可能となり、上限料金を超える子供による接続を拒否することができる。
【００５２】
上記通信端末は、前記接続の送信先に関する情報と前記送信先との間で行われる通信の用途に関する用途情報とを関連付けて格納した送信先別用途情報格納手段を備え、前記用途情報決定手段は、前記接続を確立するための接続要求の送信先に対応する用途情報を前記送信先別用途情報格納手段から抽出して決定してもよい。
【００５３】
このように接続要求の送信先の情報に基づいて用途を決定する構成により、送信先を入力すれば用途情報が決定されるので、ユーザが用途情報を入力しなくてもよい。また、送信先の入力と共に用途情報を取得できるので、送信先が入力された時点から通信制御を行うことができる。これにより、例えば、通信の接続拒否などの制御を行うことができる。
【００５４】
上記通信端末は、前記接続の時間帯に関する情報と前記時間帯に行われる通信の用途に関する用途情報とを関連付けて格納した時間帯別用途情報格納手段を備え、前記用途情報決定手段は、前記接続を確立する指示を受け付けた時刻に対応する用途情報を前記時間帯別格納手段から抽出して決定してもよい。
【００５５】
この構成により、接続の時間帯の情報に基づいて用途を決定する構成により、接続の指示を受け付けた時刻に応じて用途情報が決定されるので、ユーザが用途情報を入力しなくてもよい。また、接続の指示と共に用途情報を取得できるので、接続要求が指示された時点から通信制御を行うことができる。これにより、例えば、通信の接続拒否などの制御を行うことができる。
【００５６】
本発明の通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、受信した接続要求に含まれる通信の用途に関する用途情報を抽出する用途情報抽出ステップと、抽出した用途情報に関連付けて前記接続要求により確立される接続の接続情報を格納する接続情報格納ステップとを備える。
【００５７】
この方法により、本発明の通信接続管理装置と同様に、本管理装置を通信端末から通信事業者（キャリア）のネットワークまでの間のどこに設置しても（本管理装置がキャリアのサーバであってもローカルのサーバであっても）用途ごとの接続情報を管理できる。
【００５８】
本発明の別の態様に係る通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、前記通信端末からの前記接続の送信先に関する情報と前記送信先との間で行われる通信の用途に関する用途情報とを関連付けて格納した送信先別用途情報格納手段から、受信した接続要求の送信先に対応する用途情報を抽出する用途情報抽出ステップと、抽出した用途情報に関連付けて前記接続要求により確立される接続の接続情報を格納する接続情報格納ステップとを備える。
【００５９】
この方法により、本発明の通信接続管理装置と同様に、通信端末からの接続要求に用途情報が含まれていなくても、あるいはユーザが明示的に各接続について用途を指定しなくても、用途情報を抽出できる。
【００６０】
本発明の別の態様に係る通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、前記通信端末からの接続の時間帯に関する情報と前記時間帯に行われる通信の用途に関する用途情報とを関連付けて格納した時間帯別用途情報格納手段から、前記接続要求を受信した時刻に対応する用途情報を抽出する用途情報抽出ステップと、抽出した用途情報に関連付けて前記接続要求により確立される接続の接続情報を格納する接続情報格納ステップとを備える。
【００６１】
この方法により、本発明の通信接続管理装置と同様に、通信端末からの接続要求に用途情報が含まれていなくても、あるいはユーザが明示的に各接続について用途を指定しなくても、用途情報を抽出できる。
【００６２】
本発明の別の態様に係る通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、受信した接続要求に含まれる通信の用途に関する用途情報を抽出する用途情報抽出ステップと、通信制御の内容に関する情報を通信の用途に関連付けて格納した前記通信制御情報格納手段から、抽出した用途情報に対応する通信制御情報を抽出し、抽出した通信制御情報に基づいて前記接続要求により確立が要求された接続についての通信制御を行う通信制御ステップとを備える。
【００６３】
この方法により、本発明の通信接続管理装置と同様に、接続要求により確立される接続により行われる通信の用途に応じて、接続要求により確立が要求された接続の通信制御を行うことが可能となる。
【００６４】
本発明の別の態様に係る通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、前記通信端末からの前記接続の送信先に関する情報と前記送信先との間で行われる通信の用途に関する用途情報とを関連付けて格納した前記送信先別用途情報格納手段から、受信した接続要求の送信先に対応する用途情報を抽出する用途情報抽出ステップと、通信制御の内容に関する情報を通信の用途に関連付けて格納した通信制御情報格納手段から、前記用途情報に対応する通信制御情報を抽出し、抽出した通信制御情報に基づいて前記接続要求により確立が要求された接続についての通信制御を行う通信制御ステップとを備える。
【００６５】
この方法により、本発明の通信接続管理装置と同様に、接続要求により確立される接続により行われる通信の用途に応じて、接続要求により確立が要求された接続の通信制御を行うことが可能となると共に、接続要求に用途情報が入っていなくても、あるいはユーザが接続毎に用途を指定しなくても、接続要求に基づいて用途情報を取得できるので、接続要求の受信時点から通信制御を行うことができる。
【００６６】
本発明の別の態様に係る通信接続管理方法は、通信端末と通信ネットワークとの間に配置された通信接続管理装置によって、前記通信端末から前記通信ネットワークへの接続を管理する方法であって、前記接続を確立するための接続要求を前記通信端末から受信する接続要求受信ステップと、前記通信端末からの前記接続の時間帯に関する情報と前記時間帯に行われる通信の用途に関する用途情報とを関連付けて格納した時間帯別用途情報格納手段から、前記接続要求を受信した時刻に対応する用途情報を抽出する用途情報抽出ステップと、通信制御の内容に関する情報を通信の用途に関連付けて格納した通信制御情報格納手段から、前記用途情報に対応する通信制御情報を抽出し、抽出した通信制御情報に基づいて前記接続要求により確立が要求された接続についての通信制御を行う通信制御ステップとを備える。
【００６７】
この方法により、本発明の通信接続管理装置と同様に、接続要求により確立される接続により行われる通信の用途に応じて、接続要求により確立が要求された接続の通信制御を行うことが可能となると共に、接続要求に用途情報が入っていなくても、あるいはユーザが接続毎に用途を指定しなくても、接続要求に基づいて用途情報を取得できるので、接続要求の受信時点から通信制御を行うことができる。
【００６８】
本発明の通信方法は、通信端末が、通信ネットワークへの接続を確立するための接続要求に、この接続により行われる通信の用途に関する用途情報を書き込む接続要求作成ステップと、前記通信端末が、前記通信ネットワークへの接続を管理する通信接続管理装置に作成した接続要求を送信する接続要求送信ステップと、前記通信端末が、前記接続要求により確立される接続により通信を行う通信ステップとを備える。
【００６９】
この方法により、本発明の通信端末と同様に、接続情報を管理する通信接続管理装置が通信網上のどこにあっても、用途情報に基づいて接続情報を管理することができる。
【００７０】
本発明の別の態様に係る通信方法は、通信端末が、通信ネットワークとの間で確立される接続により行われる通信の用途に関する情報を決定する用途情報決定ステップと、前記通信端末が、前記接続を確立するための接続要求を前記通信ネットワークの局側サーバへ送信する接続要求送信ステップと、前記通信端末が、前記接続要求により確立される接続により通信を行う通信ステップと、前記通信端末が、前記用途情報決定ステップにおいて決定された用途情報に関連付けて、前記接続の接続情報を格納する接続情報格納ステップとを備える。
【００７１】
この方法により、本発明の通信端末と同様に、キャリアに用途情報を開示することなく、通信端末内部に接続情報を管理できる。
【００７２】
本発明の別の態様に係る通信方法は、通信端末が、通信ネットワークとの間で確立される接続により行われる通信の用途に関する情報を決定する用途情報決定ステップと、前記通信端末が、前記用途情報決定ステップにおいて決定された用途に関する情報に対応する通信制御の内容を、通信制御の内容に関する情報を通信の用途に関連付けて格納した通信制御情報格納手段から抽出し、抽出した通信制御情報に基づいて前記接続の通信制御を行う通信制御ステップとを備える。
【００７３】
この方法により、本発明の通信端末と同様に、接続要求により確立される接続により行われる通信の用途に応じて、接続要求により確立が要求された接続の通信制御を行うことが可能となる。
【００７４】
以上説明した本発明の各方法においては、本発明の通信接続管理装置または通信端末の種々の構成要素を備えることが可能である。
【００７５】
また、本発明のプログラムは、上記した方法の発明の各ステップをコンピュータに実行させるプログラムである。
【００７６】
このプログラムをコンピュータにより実行することにより、上記方法を実現でき、上記方法と同様の効果が得られる。
【発明の効果】
【００７７】
本発明は、接続要求に含まれる用途情報を抽出する構成により、抽出した用途情報に基づいて接続要求により確立される接続の接続情報を管理することができるというすぐれた効果を有するものである。
【００７８】
また、接続の送信先に関する情報または接続の時間帯に関する情報に関連付けて用途情報を格納しておき、送信先または接続の時刻に対応する用途情報を抽出する構成により、ユーザが用途情報を入力しなくてもよいという効果を有する。
【００７９】
さらに、用途情報に関連付けて通信制御の内容に関する情報を格納しておき、用途情報に基づいて通信制御に内容を抽出する構成により、接続により行われる通信の用途に応じてその接続の通信制御を行うことができるという効果を有する。
【発明を実施するための最良の形態】
【００８０】
図１は、第１の実施の形態の通信接続管理装置の構成を示す図である。図１に示す通信接続管理装置の説明に先立って、本実施の形態の通信接続管理装置および通信端末が適用される環境について図２を参照しながら説明する。
【００８１】
図２は、本実施の形態の通信接続管理装置および通信端末が適用される環境を示す図である。図２に示すように、複数の通信端末が通信ネットワーク８０に接続されている。通信ネットワーク８０と通信端末４０との間には、ネットワーク交換装置１０が配置され、ネットワーク交換装置１０によって通信端末４０から通信ネットワーク８０への接続が制御される。なお、通信端末８２，８４および携帯通信端末８６もネットワーク交換装置を通して通信ネットワーク８０と接続されているが、図２では図示を省略している。第１の実施の形態では、ネットワーク交換装置１０が通信接続管理装置に相当し、ネットワーク交換装置１０が通信端末４０から通信ネットワーク８０への接続情報を管理する機能を有する。
【００８２】
図１を参照してネットワーク交換装置１０の構成について説明する。ネットワーク交換装置１０は、ネットワークとの間で呼制御情報を送受信する呼制御情報送受信部１２と、送信する呼制御情報を作成すると共に受信した呼制御情報を解析する呼制御情報作成・解析部１４と、呼の接続または切断を制御する呼制御部１８とを備える。これらの構成は、通常のネットワーク交換装置が有する構成と同様である。第１の実施の形態のネットワーク交換装置１０は、さらに呼制御部１８に接続された用途情報解析部１６および接続情報制御部２０と、接続情報制御部２０に接続された接続情報蓄積部２２とを備える。
【００８３】
用途情報解析部１６は、通信端末４０から送信される接続要求に含まれる用途情報を解析する機能を有する。これにより、接続要求によって確立される接続により行われる通信が何の用途に関するものかを把握できる。
【００８４】
接続情報制御部２０は、用途情報解析部１６により解析された用途に応じて接続情報を分類し、接続情報を作成する機能を有する。接続情報制御部２０は、作成した接続情報を接続情報蓄積部２２に蓄積する。
【００８５】
接続情報蓄積部２２には、通信端末４０から通信ネットワーク８０への接続情報が用途ごとに分類されて蓄積される。図３は、接続情報蓄積部２２に蓄積された接続情報の例を示す図である。接続情報蓄積部２２に蓄積された接続情報は、「用途情報」「日付」「接続時間」「接続料金」「予備情報」の各項目を有する。「用途情報」は、通信の用途を分類するための情報であり、図３に示す例では、用途Ａ〜Ｅの情報を有する。「日付」は通信開始日時を表す情報、「接続時間」は通信が接続されていた時間を表す情報、「接続料金」はその接続にかかった料金を表す情報である。「予備情報」には、システムの設計に応じてさまざまな情報を蓄積することが可能である。ここでは、発信元と発信先に関する情報が蓄積されている。例えば、図３の接続情報蓄積部２２の第１カラムのデータは、４／１  １４：２５から５分２５秒間にわたってＺから１へ通話されたことを示す情報である。また、このときの接続料金は２０円であり、この通信の用途パラメータがＡに分類されていることを示している。接続情報蓄積部２２に蓄積されたデータに基づいて、例えば、用途ごとに請求先を分類するなどの処理を行うことが可能である。
【００８６】
図４は、第１の実施の形態の通信端末４０の構成を示す図である。通信端末４０は、ネットワークとの間で呼制御情報を送受信する呼制御情報送受信部４２と、送信する呼制御情報を作成すると共に受信した呼制御情報を解析する呼制御情報作成・解析部４４と、呼の接続または切断を制御する呼制御部４６とを備える。これらの構成は、通常の通信端末４０が有する構成と同様である。第１の実施の形態の通信端末４０は、さらに用途情報生成部４８を備える。
【００８７】
用途情報生成部４８は、接続要求により確立する接続により行われる通信の用途に関する情報を生成する。用途情報生成部４８は、例えば、通信端末４０が備える数字キーにより構成される。この場合、通信の接続に先立って、用途を分類するための情報を数字キーにより入力することにより、用途情報を生成することができる。生成された用途情報は、呼制御情報作成・解析部４４に送られる。そして、呼制御情報作成・解析部４４は用途情報を含む接続要求を作成する。
【００８８】
次に、第１の実施の形態の通信端末４０およびネットワーク交換装置１０の動作について説明する。最初に、図５を用いて通信端末４０およびネットワーク交換装置１０の動作について説明する。
【００８９】
図５に示すように、まず、通信端末４０の呼制御部４６とネットワーク交換装置１０の呼制御部１８との間で接続処理が行われる。接続処理が完了すると（Ｓ１０）、ネットワーク交換装置１０の呼制御部１８は通信を開始する（Ｓ１２）。また、呼制御部１８は、接続完了通知を接続情報制御部２０に送信する（Ｓ１４）。接続情報制御部２０は、呼制御部１８から送信された接続完了通知を受けると、接続情報を生成する（Ｓ１６）。ここで生成される接続情報は、図３に示す例では、「用途情報」、「日付」、「予備情報」に関するデータである。
【００９０】
続いて、通信端末４０とその通信相手先との通信が終了し、通信端末４０の呼制御部１８とネットワーク交換装置１０の呼制御部１８との間の接続が終了すると（Ｓ１８）、ネットワーク交換装置１０の呼制御部１８は接続情報制御部２０に切断処理完了を通知する（Ｓ２０）。接続情報制御部２０は、呼制御部１８から切断処理完了の通知を受けると（Ｓ２２）、接続情報を確定して最終の接続情報を生成する（Ｓ２４）。ここでは、通信時間および通信料金に関する情報を生成する。接続情報制御部２０は、生成された接続情報を接続情報蓄積部２２に送り（Ｓ２６）、接続情報を接続情報蓄積部２２に蓄積する（Ｓ２８）。このとき接続情報制御部２０は、用途情報によって接続情報を分類して蓄積する。
【００９１】
次に、本実施の形態の接続シーケンスにおける通信端末４０およびネットワーク交換装置１０のそれぞれの動作についてさらに詳しく説明する。
【００９２】
図６は、通信端末４０における接続シーケンスを示す図である。まず、通信端末４０の用途情報生成部４８が、ユーザ操作により指定された用途を表す用途情報を生成する（Ｓ３０）。例えば、送信相手の選択に先立って用途情報を示す数字キーの入力を受け付けるなどして、用途情報を作成することができる。用途情報生成部４８は、生成された用途情報の設定要求を呼制御部４６に送信する（Ｓ３２）。呼制御部４６は、用途情報生成部４８からの用途情報の設定要求を受け、ユーザ操作により指定された送信先に対する接続要求を受け付ける（Ｓ３４）。
【００９３】
呼制御部４６は、接続要求の呼制御指示を呼制御情報作成・解析部４４に通知する（Ｓ３６）。呼制御情報作成・解析部４４は、呼制御部４６からの指示に従い、呼制御情報（シグナリング）を作成する（Ｓ３８）。このとき作成される接続要求の呼制御情報には、用途情報生成部４８により生成された用途情報が含まれる。呼制御情報作成・解析部４４は、作成した呼制御情報を呼制御情報送受信部４２に送信する（Ｓ４０）。呼制御情報送受信部４２は、呼制御情報作成・解析部４４から送信された呼制御情報をネットワークへ送信する処理を行う（Ｓ４２）。これにより、呼制御情報が、ネットワークに送信される（Ｓ４４）。ここで、通信端末４０から送信される呼制御情報（接続要求）のメッセージについて、図９（ａ）および図９（ｂ）を参照しながら説明する。
【００９４】
図９（ａ）は、通信端末４０の呼制御情報送受信部１２から送信される呼制御情報のメッセージを示す図である。本実施の形態で送信されるメッセージはＳＩＰメッセージであり、図９（ｂ）は図９（ａ）のメッセージが準拠するＳＩＰメッセージ形式を示す図である。図９（ａ）に示すように、呼制御情報は、標準の接続要求メッセージと同様に、要求種別１００として「接続」が記述され、続いて、送信先アドレス１０２、送信元アドレス１０４、他のシグナリングデータ１０６の情報が記述される。これらの標準部分の情報は、呼制御情報作成・解析部４４により生成される。本実施の形態では、他のシグナリングデータに続く拡張部分に、この接続要求により確立される接続によって行われる用途情報１０８ａが記述され、用途情報１０８ａに続いて予備情報１０８ｂが記述される。拡張部分に記述される情報は、通信端末４０の用途情報生成部４８により生成される。
【００９５】
次に、通信端末４０から呼制御情報を受信したネットワーク交換装置１０の動作について説明する。図７および図８は、ネットワーク交換装置１０における接続シーケンスを示す図である。
【００９６】
通信端末４０から呼制御情報が送信されると（Ｓ４４）、ネットワーク交換装置１０は、呼制御情報送受信部１２によって呼制御情報を受信する（Ｓ４６）。呼制御情報送受信部１２は、呼制御情報作成・解析部１４に対し、呼制御情報の受信を通知すると共に受信した呼制御情報を渡す（Ｓ４８）。これを受けた呼制御情報作成・解析部１４は、呼制御情報の標準部分を解析し、呼制御情報が接続要求であるとの結果を得る（Ｓ５０）。そして、呼制御情報作成・解析部１４は、呼制御情報が接続要求であるという解析結果を呼制御部１８に通知する（Ｓ５２）。
【００９７】
呼制御部１８は、呼制御情報作成・解析部１４から通知された接続要求を受け付け（Ｓ５４）、呼制御情報の拡張部分に記述された用途情報の解析要求を用途情報解析部１６に送信する（Ｓ５６）。用途情報解析部１６は、呼制御情報の拡張部分である用途情報を解析し（Ｓ５８）、用途情報の解析結果を呼制御部１８に通知する（Ｓ６０）。呼制御部１８は、用途情報解析部１６から用途情報の通知を受けると、接続情報の蓄積、制御または接続許可のため、用途情報が正しいか否か確認する処理を行う（Ｓ６２）。呼制御部１８は、接続情報制御部２０に用途情報の確認要求を送信する（Ｓ６４）。接続情報制御部２０は、用途情報が正しいか否かを確認し（Ｓ６６）、用途情報を確認すると確認完了通知を呼制御部１８に送信する（Ｓ６８）。
【００９８】
図８を参照してネットワーク交換装置１０の動作の説明を続ける。呼制御部１８は、接続情報制御部２０からの確認完了通知を受けると、呼制御（ルーティング制御）を行い、呼制御情報を操作する（Ｓ７０）。呼制御部１８は、接続許可の呼制御指示を呼制御情報作成・解析部１４に通知する（Ｓ７２）。呼制御情報作成・解析部１４は、呼制御部１８から指示された呼制御情報を生成する（Ｓ７４）。ここでは、通信端末４０から受信した呼制御情報を修正して新たな呼制御情報を生成する。そして、呼制御情報作成・解析部１４は、生成した呼制御情報を呼制御情報送受信部１２に送る（Ｓ７６）。呼制御情報送受信部１２は、呼制御情報作成・解析部１４から送られた呼制御情報をネットワークへ送信する処理を行う（Ｓ７８）。これにより、呼制御情報が、ネットワークに対して送信される（Ｓ８０）。ここで、ネットワーク交換装置１０が送信する呼制御情報のメッセージについて、図１０（ａ）および図１０（ｂ）を参照しながら説明する。
【００９９】
図１０（ａ）は、ネットワーク交換装置１０の呼制御情報送受信部１２から送信される呼制御情報のメッセージを示す図である。本実施の形態で送信されるメッセージはＳＩＰメッセージであり、図１０（ｂ）は図１０（ａ）のメッセージが準拠するＳＩＰメッセージ形式を示す図である。図１０（ａ）に示す呼制御情報メッセージは、通信端末４０から受信した呼制御情報メッセージの拡張部分が削除され、必要な標準部分が追加されて作成されたメッセージである。要求種別１００、送信先アドレス１０２、送信元アドレス１０４、他のシグナリングデータ１０６が記述された標準部分は、通信端末４０から送信された呼制御情報をネットワーク交換装置１０の呼制御情報作成・解析部１４が修正して生成された部分である。また、シグナリングデータ１０８は、ネットワーク交換装置１０の呼制御情報作成・解析部１４が生成した標準のシグナリングデータである。
【０１００】
ネットワーク交換装置１０が呼制御情報をネットワークに送信した後は、通常の呼制御による接続処理と同様に接続処理が行われる。ただし、接続が完了したときには、図５で説明したように、接続情報制御部２０により接続情報が生成される。
【０１０１】
以上、本発明の第１の実施の形態のネットワーク交換装置１０および通信端末４０について説明した。
【０１０２】
第１の実施の形態の通信端末４０は、用途情報を含めた接続要求を送信するので、接続情報を管理する装置が通信網上のどこに存在しても、接続情報を用途ごとに分類して管理することができる。すなわち、接続情報管理機能をネットワーク上においてフレキシブルに配置できる。ここでは、ネットワーク交換装置１０が通信接続管理装置の機能を有する例について説明したが、通信接続管理装置は、ネットワーク交換装置１０と通信端末４０との間に配置することも可能であり、また、複数のネットワーク交換機の間に設置することもできる。なお、以下に説明する実施形態においても、通信端末４０から用途情報を含めた接続要求が送信される実施形態については、本実施形態と同様の効果がある。
【０１０３】
図１１は、通信端末４０とネットワーク交換装置１０との間に通信接続管理装置としてローカルサーバ７０を配置した構成を示す図である。ローカルサーバ７０は、第１の実施の形態のネットワーク交換装置１０と同様に、接続情報制御部２０、接続情報蓄積部２２および用途情報解析部１６を備える。これにより、接続情報を用途ごとに分類してローカルサーバ７０に蓄積することが可能となる。ローカルサーバ７０としては、例えば、社内システムを収容するＬＡＮサーバや、家庭内の端末を収容するホームサーバが考えられる。
【０１０４】
第１の実施の形態のネットワーク交換装置１０は、接続要求に含まれる用途情報を抽出し、抽出した用途情報に基づいて、接続要求により確立される通信の接続情報を管理することができる。
【０１０５】
第１の実施の形態では、通信接続管理装置であるネットワーク交換装置１０に１台の通信端末４０が接続された例について説明したが、ネットワーク交換装置１０に複数の通信端末４０が接続された場合にも、第１の実施の形態と同様に用途情報に応じて接続情報を管理できる。
【０１０６】
図１２は、ネットワーク交換装置１０が複数回線を収容し、それぞれの回線に通信端末４０が接続された構成を示す図である。このような構成においても、通信端末４０が用途情報を付加した接続要求を送信し、ネットワーク交換装置１０が接続要求から用途情報を抽出して接続情報を分類することにより、ネットワーク交換装置１０は用途ごとに接続情報を管理できる。この場合には、複数の回線を一括管理できるので、例えば、会社の回線と会社員の自宅の回線を一括して管理し、会社からかけたか自宅からかけたかに関わらず、用途ごとに接続情報を管理できる。
【０１０７】
次に、本発明の第２の実施の形態の通信端末について説明する。通信端末４０およびネットワーク交換装置１０が適用される環境は、第１の実施の形態と同じである（図２参照）。
【０１０８】
図１３は、第２の実施の形態に係る通信端末４０の構成を示す図である。第２の実施の形態の通信端末４０は、第１の実施の形態の通信端末４０と同様に、呼制御情報送受信部４２と、呼制御情報作成・解析部４４と、呼制御部４６とを備える。第２の実施の形態の通信端末４０は、第１の実施の形態の用途情報生成部４８に代えて接続情報制御部５０および接続情報蓄積部５２を備える。
【０１０９】
接続情報制御部５０は、ユーザ操作により指定された用途に応じて接続情報を分類し、接続情報を作成する機能を有する。
【０１１０】
接続情報蓄積部５２は、接続情報制御部５０により作成された接続情報を用途ごとに蓄積する機能を有する。接続情報蓄積部５２は、第１の実施の形態におけるネットワーク交換装置１０の接続情報蓄積部２２と同様の情報を蓄積する（図３参照）。
【０１１１】
図１４は、第２の実施の形態に係る通信端末４０と接続されるネットワーク交換装置１０の構成を示す図である。ここで用いられるネットワーク交換装置１０は通常のネットワーク交換装置であり、呼制御情報送受信部１２と、呼制御情報作成・解析部１４と、呼制御部１８とを備える。また、このネットワーク交換装置１０は、課金情報制御部２４と、課金情報蓄積部２６とをさらに備え、課金情報を管理する機能を有する。第２の実施の形態で用いられるネットワーク交換装置１０は、例えば通信ネットワーク８０のキャリアが管理する装置であり、通信ネットワーク８０の使用料を課金情報として管理する。
【０１１２】
図１５は、課金情報蓄積部２６に格納されたデータの例を示す図である。課金情報蓄積部２６には、「請求アドレス」「日付」「接続時間」「接続料金」「予備情報」の各項目のデータが蓄積されている。「請求アドレス」は、料金の請求先に関する情報である。通常、請求先アドレスは、通信の発信元に関する情報である。すなわち、課金情報蓄積部２６に蓄積される課金情報は、通信の発信元ごとに分類されて蓄積されている。「日付」は通信開始日時を表す情報、「接続時間」は通信が接続されていた時間を表す情報、「接続料金」はその接続にかかった料金を表す情報である。「予備情報」には、システムの設計に応じてさまざまな情報を蓄積することが可能である。ここでは発信先に関する情報が格納されている。
【０１１３】
次に、第２の実施の形態の通信端末４０およびネットワーク交換装置１０の動作について説明する。最初に、図１６〜図１８を用いて、通信端末４０およびネットワーク交換装置１０の動作の全体について説明する。まず、通信端末４０の呼制御部４６とネットワーク交換装置１０の呼制御部１８との間で接続処理を行う。接続処理が完了すると（Ｓ９０）、通信端末４０の呼制御部４６は、通信を開始する（Ｓ９２）。また、呼制御部４６は、接続完了通知を接続情報制御部５０に送信する（Ｓ９４）。接続情報制御部５０は、呼制御部４６から送信された接続完了通知を受けると、接続情報を生成する（Ｓ９６）。ここで生成される接続情報は、用途情報、通信開始時刻に関するデータ等である。
【０１１４】
一方、ネットワーク交換装置１０では、通信端末４０との接続処理が完了すると（Ｓ９０）、ネットワーク交換装置１０の呼制御部１８が通信を開始する（Ｓ９８）。また、呼制御部１８は、接続完了通知を課金情報制御部２４に送信する（Ｓ１００）。課金情報制御部２４は、呼制御部１８から送信された接続完了通知を受けると、課金情報を生成する（Ｓ１００）。
【０１１５】
続いて、通信端末４０とその通信相手先との通信が終了し、通信端末４０の呼制御部４６とネットワーク交換装置１０の呼制御部１８との間の接続が終了すると（Ｓ１０４）、通信端末４０の呼制御部４６は、通信の終了処理を行う（Ｓ１０６）。また、呼制御部４６は、接続情報制御部５０に切断処理完了を通知する（Ｓ１０８）。通信端末４０の接続情報制御部５０は、切断処理完了の通知を受けると、接続情報蓄積部５２に蓄積する接続情報を追加する（Ｓ１１０）。ここでは、接続切断より確定した通信時間の情報を追加する。
【０１１６】
一方、ネットワーク交換装置１０では、通信端末４０の呼制御部４６とネットワーク交換装置１０の呼制御部１８との間の接続が終了すると、ネットワーク交換装置１０の呼制御部１８は通信終了処理を行う（Ｓ１１２）。また、呼制御部１８は、課金情報制御部２４に切断処理完了を通知する（Ｓ１１４）。ネットワーク交換装置１０の課金情報制御部２４は、切断処理完了の通知を受けると、課金情報を確定する（Ｓ１１６）。そして、課金情報制御部２４は、確定した課金情報を課金情報蓄積部２６に送信し（Ｓ１１８）、課金情報蓄積部２６は送信された課金情報を蓄積する（Ｓ１２０）。ここで蓄積される課金情報は、例えば、図１５に示す課金情報である。
【０１１７】
図１７を参照してネットワーク交換装置１０の動作についての説明を続ける。ネットワーク交換装置１０の呼制御部１８は、接続が終了した通信の課金情報を取得する処理を行う（Ｓ１２２）。呼制御部１８は、課金情報制御部２４に課金情報の取得要求を送信する（Ｓ１２４）。課金情報制御部２４は、呼制御部１８から課金情報取得要求を受信すると、課金情報の取得処理を行う（Ｓ１２６）。課金情報制御部２４は、課金情報蓄積部２６に課金情報の取得要求を送信し（Ｓ１２８）、これを受けた課金情報蓄積部２６は課金情報制御部２４への課金情報通知処理を行う（Ｓ１３０）。課金情報制御部２４は、課金情報蓄積部２６からの課金情報の通知を受けると（Ｓ１３２）、受け取った課金情報を呼制御部１８に通知する（Ｓ１３４）。呼制御部１８は、課金情報通知を指示する処理を行い（Ｓ１３６）、課金情報通知の呼制御指示を呼制御情報作成・解析部１４に通知する（Ｓ１３８）。呼制御情報作成・解析部１４は、呼制御部１８からの指示に従って呼制御情報の作成処理を行い（Ｓ１４０）、作成された呼制御情報を呼制御情報送受信部１２に送信する（Ｓ１４２）。呼制御情報送受信部１２は、呼制御情報作成・解析部１４からの呼制御情報をネットワークへ送信する処理を行う（Ｓ１４４）。これにより、呼制御情報が、ネットワークに送信される（Ｓ１４６）。ここで、ネットワーク交換装置１０から送信される呼制御情報について、図２１（ａ）および図２１（ｂ）を参照しながら説明する。
【０１１８】
図２１（ａ）は、通信端末４０に課金情報を通知するための呼制御情報の構成を示す図、図２１（ｂ）は図２１（ａ）のメッセージが準拠するＳＩＰメッセージ形式を示す図である。呼制御情報の標準部分に、要求種別１００、送信先アドレス１０２、送信元アドレス１０４、他のシグナリングデータ１０６が記述されている。要求種別１００は「通知」であり、送信先アドレス１０２は接続の送信元の通信端末４０のアドレス、送信元アドレス１０４はネットワーク交換装置１０に関する情報である。標準部分には、拡張部分が続いており、拡張部分には課金情報１１０が記述されている。
【０１１９】
図１８を参照して、通信端末４０が課金情報の呼制御情報を受信した後の動作について説明する。ネットワーク交換装置１０から呼制御情報が送信されると（Ｓ１４６）、通信端末４０の呼制御情報送受信部４２は呼制御情報の受信処理を行う（Ｓ１４８）。呼制御情報送受信部４２は、受信した呼制御情報を呼制御情報作成・解析部４４に送信する（Ｓ１５０）。呼制御情報作成・解析部４４は、呼制御情報の標準部分を解析し、呼制御情報が通知要求であるという解析結果を得る（Ｓ１５２）。そして、呼制御情報作成・解析部４４は、呼制御情報が通知要求であるという解析結果を呼制御部４６に送信する（Ｓ１５４）。呼制御部４６は、呼制御情報作成・解析部４４からの通知要求を受け付け、通知情報の解析処理を行う（Ｓ１５６）。すなわち、呼制御部４６は、呼制御情報の拡張部分を解析して課金情報を取得する。
【０１２０】
また、呼制御部４６は、応答の呼制御指示を呼制御情報作成・解析部４４に通知する（Ｓ１５８）。ここで、課金情報の通知に対する応答について説明する。呼制御情報作成・解析部４４は、呼制御情報送受信部４２に応答の呼制御情報を送信し（Ｓ１６０）、呼制御情報送受信部４２は、課金情報の通知に対する応答の呼制御情報をネットワークに送信する（Ｓ１６２）。ネットワーク交換装置１０は、通信端末４０から送信された呼制御情報を呼制御情報送受信部１２によって受信する（Ｓ１６４）。呼制御情報送受信部１２は、受信した呼制御情報を呼制御情報作成・解析部１４に送信し（Ｓ１６６）、呼制御情報作成・解析部１４は受信した呼制御情報を解析する（Ｓ１６８）。そして、呼制御情報作成・解析部１４は、呼制御情報が課金情報に対する応答であり、課金情報通知が完了したとの通知であるという解析結果を得て、この解析結果を呼制御部１８に通知する（Ｓ１７０）。このシーケンスにより、ネットワーク交換装置１０側では、課金情報の送信が完了したことを認識できる。
【０１２１】
再び、通信端末４０における動作についての説明を続ける。通信端末４０の呼制御部４６は、通知情報から得られた課金情報を接続情報として追加する処理を行う（Ｓ１７２）。呼制御部４６は、接続情報制御部５０に接続料金の情報を通知し（Ｓ１７４）、接続情報制御部５０は通知された接続料金の情報を接続情報に追加する処理を行う（Ｓ１７６）。接続情報制御部５０は、接続情報蓄積部５２に接続情報を送信し（Ｓ１７８）、接続情報蓄積部５２は接続情報制御部５０から送られた接続情報を蓄積する。このとき接続情報蓄積部５２は、接続情報を用途情報によって分類して蓄積する（Ｓ１８０）。
【０１２２】
次に、通信端末４０およびネットワーク交換装置１０のそれぞれの動作についてさらに詳しく説明する。
【０１２３】
図１９は、通信端末４０における接続シーケンスを示す図である。まず、通信端末４０の呼制御部４６が、ユーザ操作により指定された送信先に対する接続要求を受け付ける（Ｓ１９０）。この際、呼制御部４６は、用途に関する情報も併せて受け付ける。例えば、送信先の選択に先立つ数字キーの入力操作に基づき、開始される通信を振り分けるべき用途を判定し、用途情報を作成する。呼制御部４６は、用途情報が正しいか否かの確認要求を接続情報制御部５０に送信する（Ｓ１９２）。接続情報制御部５０は、用途情報が正しいか否かの確認処理を行い（Ｓ１９４）、確認完了を呼制御部４６に通知する（Ｓ１９６）。
【０１２４】
呼制御部４６は、接続情報制御部５０からの確認完了通知を受けると、接続要求を処理する（Ｓ１９８）。呼制御部４６は、接続要求の呼制御指示を呼制御情報作成・解析部４４に通知する（Ｓ２００）。呼制御情報作成・解析部４４は、呼制御部４６からの指示に従い、呼制御情報（シグナリング）を作成する（Ｓ２０２）。呼制御情報作成・解析部４４は、作成した呼制御情報を呼制御情報送受信部４２に送る（Ｓ２０４）。呼制御情報送受信部４２は、呼制御情報作成・解析部４４から送られた呼制御情報をネットワークへ送信する処理を行う（Ｓ２０６）。これにより、呼制御情報がネットワークに送信される（Ｓ２０８）。ここで、通信端末４０から送信される呼制御情報（接続要求）について、図２２（ａ）および図２２（ｂ）を参照しながら説明する。
【０１２５】
図２２（ａ）は、通信端末４０の呼制御情報送受信部１２から送信される呼制御情報のメッセージを示す図である。本実施の形態で送信されるメッセージはＳＩＰメッセージであり、図２２（ｂ）は図２２（ａ）のメッセージが準拠するＳＩＰメッセージ形式を示す図である。図２２（ａ）に示すように、呼制御情報は、要求種別１００として「接続」が記述され、続いて、送信先アドレス１０２、送信元アドレス１０４、他のシグナリングデータ１０６の情報が記述される標準の接続要求メッセージである。
【０１２６】
次に、呼制御情報を受信したネットワーク交換装置１０の接続シーケンスについて図２０を参照しながら説明する。なお、以下に説明する第２の実施の形態におけるネットワーク交換装置１０の接続シーケンスは、通常のネットワーク交換装置１０の接続シーケンスと同様である。
【０１２７】
通信端末４０から呼制御情報が送信されると（Ｓ２０８）、ネットワーク交換装置１０は、呼制御情報送受信部１２によって呼制御情報の受信処理を行う（Ｓ２１０）。呼制御情報送受信部１２は、受信した呼制御情報を呼制御情報作成・解析部１４に送信する（Ｓ２１２）。呼制御情報作成・解析部１４は、受信した呼制御情報の標準部分を解析し（Ｓ２１４）、呼制御情報が接続要求であるとの結果を得る。呼制御情報作成・解析部１４は、受信した呼制御情報が接続要求であるという解析結果を呼制御部１８に通知する（Ｓ２１６）。
【０１２８】
呼制御部１８は、呼制御情報作成・解析部１４から接続要求の通知を受け付けると、呼制御（ルーティング制御）を行い、呼制御情報を操作する（Ｓ２１８）。そして、呼制御部１８は、接続許可の呼制御指示を呼制御情報作成・解析部１４に通知する（Ｓ２２０）。呼制御情報作成・解析部１４は、呼制御指示を受けると、指示された呼制御情報を生成する（Ｓ２２２）。そして、呼制御情報作成・解析部１４は、生成した呼制御情報を呼制御情報送受信部１２に送信する（Ｓ２２４）。呼制御情報送受信部１２は、呼制御情報作成・解析部１４からの呼制御情報をネットワークへ送信する処理を行う（Ｓ２２６）。これにより、呼制御情報がネットワークに送信される（Ｓ２２８）。ネットワーク交換装置１０が呼制御要求をネットワークに送信した後は、通常の呼制御による接続処理と同様に接続処理が行われる。
【０１２９】
以上、本発明の第２の実施の形態に係る通信端末４０について説明した。
【０１３０】
第２の実施の形態に係る通信端末４０は、通信の用途に応じて接続情報を格納することにより、通信回線を提供する通信事業者に情報を開示することなく、通信端末４０内部に接続情報を管理できる。また、通信端末４０から送信される接続要求は標準の呼制御情報であるので（図２２（ａ）および図２２（ｂ）参照）、通信網上に存在するサーバの構成を変えないで接続情報の管理を実現することができる。
【０１３１】
また、通信端末４０は、ネットワーク交換装置１０から送信される課金情報を受信し、受信した課金情報を接続情報の一つとして、用途に応じて分類して蓄積しておくことにより、用途に応じて通信料金の請求先を変えることができる。すなわち、用途によって請求先を分類することで、通信の発信元による分類より、料金請求先を細分化することができる。なお、本実施形態では、ネットワーク交換装置１０から課金情報が通知され、通信端末４０は受信した課金情報を接続情報として蓄積する例について説明したが、ネットワーク交換装置１０が課金情報を通知しない構成の場合には、通信端末４０に料金算出手段を持たせ、料金の情報を算出する構成とすることも可能である。また、接続情報として課金情報を蓄積することは、必ずしも必須ではなく、課金情報以外の情報のみを蓄積する構成とすることも可能である。
【０１３２】
次に、本発明の第３の実施の形態に係る通信接続管理装置および通信端末について説明する。ここでは、通信接続管理装置の例として、ネットワーク交換装置１０を取り上げて説明する。通信端末４０およびネットワーク交換装置１０が適用される環境は、第１の実施の形態と同じである（図２参照）。
【０１３３】
図２３は、第３の実施の形態に係るネットワーク交換装置１０の構成を示す図である。第３の実施の形態に係るネットワーク交換装置１０は、第１の実施の形態のネットワーク交換装置１０と基本的な構成は同じであるが、さらに、用途情報設定解析部２８および用途情報設定蓄積部３０を備えている点が異なる。
【０１３４】
用途情報設定解析部２８は、通信端末４０から送信された用途情報の設定要求を解析する機能と、接続要求に関する情報から用途情報を解析する機能とを有する。
【０１３５】
用途情報設定蓄積部３０は、用途情報の設定に関する情報を蓄積する機能を有する。用途情報設定蓄積部３０には、接続要求に関する情報から用途情報を分類するための分類情報、および用途情報に関連する用途関連情報が蓄積されている。
【０１３６】
図２４（ａ）は用途情報設定蓄積部３０に蓄積される分類情報３０ａの例を示す図、図２４（ｂ）は用途情報設定蓄積部３０に蓄積される用途関連情報３０ｂである。分類情報は、接続要求に関する情報に基づいて通信の用途を分類するための情報である。
【０１３７】
用途情報設定蓄積部３０に格納された分類情報３０ａは、図２４（ａ）に示すように、「設定番号」「送信元アドレス」「送信先アドレス」「時間帯」「用途情報」の各項目のデータを有する。「設定番号」は、分類情報の設定を識別する番号であり、分類情報が設定された順番に付与される。「送信元アドレス」「送信先アドレス」「時間帯」は、通信の用途を判断するための条件である。「用途情報」は、送信元アドレス、送信先アドレス、時間帯に記載された条件を満たすときの判定結果を表す情報である。例えば、設定番号１では、送信元アドレスが「Ｚ」、送信先アドレスが「０３−１２３４−５６７８」と記載されているが、これは送信元アドレスが「Ｚ」、送信先アドレスが「０３−１２３４−５６７８」という条件を満たすときに用途が「Ａ」と判断されることを示す。設定番号１のように「時間帯」に条件が入っていない場合には、時間帯に関わらず情報が判断される。また、設定番号３のように「送信先アドレス」に条件が入っていない場合には、送信先アドレスに関わらず情報が判断される。用途は、送信先アドレス、時間帯のいずれかに基づいて判断してもよいし、送信先アドレス、送信元アドレス、時間帯の条件の組合せに基づいて判断してもよい。また、用途は、送信先アドレス、時間帯の情報以外の情報により判断することも可能である。
【０１３８】
用途関連情報３０ｂは、図２４（ｂ）に示すように、「用途情報」「請求先情報」「予備情報」の各項目のデータを有する。「請求先情報」は関連付けられた用途により発生した通信料金の請求先を表す情報である。「予備情報」は、予備的な情報であり、ここでは通信の用途が「社用」であるか「私用」であるかを表す情報が蓄積されている。
【０１３９】
図２５は、第３の実施の形態に係る通信端末４０の構成を示す図である。第３の実施の形態に係る通信端末４０は、第１の実施の形態に係る通信端末４０と基本的な構成は同じであるが、用途情報設定部５４をさらに備えている点が異なる。
【０１４０】
用途情報設定部５４は、ユーザの操作により用途情報の設定方法の指定を受け付けて設定情報を生成する機能を有する。生成された設定情報は、ネットワーク交換装置１０に送信され、ネットワーク交換装置１０の用途情報設定蓄積部３０に蓄積される。設定情報は、例えば、接続の送信先や接続の時間帯に基づいて通信の用途を決定するための情報である。
【０１４１】
次に、第３の実施の形態の通信端末４０およびネットワーク交換装置１０の動作について説明する。図２６〜図２８は用途設定情報の設定シーケンスを示す図、図２９および図３０は接続シーケンスを示す図である。
【０１４２】
図２６は、通信端末４０における用途情報の設定シーケンスを示す図である。まず、通信端末４０は、用途情報設定部５４によって用途情報の設定方法の指定を受け付ける（Ｓ２３０）。ここでは、用途情報設定部５４はユーザの操作によって用途の設定方法を受け付ける。そして、用途情報設定部５４は、用途情報の設定要求を呼制御部４６に送信する（Ｓ２３２）。呼制御部４６は、用途情報設定部５４からの設定要求を受けると、ユーザの操作により指定された設定の要求処理を行い（Ｓ２３４）、用途情報設定の呼制御指示を呼制御情報作成・解析部４４に通知する（Ｓ２３６）。
【０１４３】
呼制御情報作成・解析部１４は、呼制御部１８からの呼制御指示を受けると、指示された設定情報を含む呼制御情報を作成し（Ｓ２３８）、作成した呼制御情報を呼制御情報送受信部１２に送信する（Ｓ２４０）。呼制御情報送受信部１２は、呼制御情報作成・解析部１４から受けた呼制御情報をネットワークへ送信する処理を行う（Ｓ２４２）。これにより、呼制御情報がネットワークに送信される（Ｓ２４４）。ここで、通信端末４０から送信される呼制御情報のメッセージについて、図３１（ａ）および図３１（ｂ）と、図３２（ａ）および図３２（ｂ）を参照しながら説明する。
【０１４４】
図３１（ａ）は、用途情報設定要求の呼制御情報メッセージを示す図である。本実施の形態で送信されるメッセージはＳＩＰメッセージであり、図３１（ｂ）は図３１（ａ）のメッセージが準拠するＳＩＰメッセージ形式を示す図である。
【０１４５】
用途情報設定要求は、用途情報設定の要求種別１１２と、シグナリングデータ１１４（要求元アドレス、要求先アドレスなど）とを含む標準部分を有し、標準部分に続く拡張部分に設定情報１１６が記述される。標準部分は呼制御情報作成・解析部４４により生成され、拡張部分は用途情報設定部５４により生成される。
【０１４６】
図３２（ａ）は用途情報設定要求メッセージに含まれる設定情報１１６の詳細の項目を示す図であり、図３２（ｂ）は設定情報の一例を示す図である。図３２（ａ）に示すように、設定情報には、設定種別１１８、用途情報１２０、設定接続先アドレス１２２、設定時間帯情報１２４、設定請求先情報１２６、予備情報１２８が順に記述される。
【０１４７】
設定種別１１８は、分類設定または新規用途設定の情報が記述され、この情報により以下に続く情報がどのような設定に用いられるかを識別できる。例えば、設定種別１１８として分類設定が記述されている場合、以下に続くメッセージは、すでに存在するいずれかの用途に分類するための条件に関する情報である。設定種別１１８として新規用途設定が記述されている場合、以下に続くメッセージは新しい用途に分類するための条件に関する情報である。
【０１４８】
用途情報１２０は、設定情報が何の用途に関するものかを識別する情報である。設定接続先アドレス１２２、設定時間帯情報１２４は、それぞれ用途情報１２０に記述された用途であると分類するための条件である。ここでは、図３２（ｂ）に示すように、設定接続先アドレス１２２に「０３−１２３４−５６７８」という情報が記述されている。従って、図３２（ｂ）に示す設定は、接続要求の接続先がこの電話番号のときに用途情報が「Ａ」と判定する、という情報である。設定請求先情報１２６は、用途情報１２０に記述された用途による通信で発生した料金を請求する先に関する情報を記述する。
【０１４９】
次に、設定情報要求の呼制御情報を受けたネットワーク交換装置１０の動作について説明する。図２７は、ネットワーク交換装置１０における用途情報設定シーケンスを示す図である。通信端末４０から呼制御情報が送信されると（Ｓ２４４）、ネットワーク交換装置１０は呼制御情報送受信部１２によって通信端末４０からの呼制御情報を受信する（Ｓ２４６）。そして、呼制御情報送受信部１２は、受信した呼制御情報を呼制御情報作成・解析部１４に通知する（Ｓ２４８）。呼制御情報作成・解析部１４は、呼制御情報送受信部１２によって受信した呼制御情報の標準部分を解析する（Ｓ２５０）。ここでは、受信した呼制御情報が用途情報設定要求であるとの結果を得る。次に、呼制御情報作成・解析部１４は、用途情報設定要求を呼制御部１８に送信し（Ｓ２５２）、呼制御部１８は呼制御情報作成・解析部１４からの設定要求を受け付ける（Ｓ２５４）。
【０１５０】
呼制御部１８は、用途情報設定解析部２８に用途情報の設定要求を送信する（Ｓ２５６）。用途情報設定解析部２８は、呼制御部１８からの設定要求を受けると、呼制御情報の拡張部分である用途の設定情報を解析する（Ｓ２５８）。続いて、用途情報設定解析部２８は、解析した用途の設定情報を用途情報設定蓄積部３０に送信する（Ｓ２６０）。用途情報設定蓄積部３０は、用途の設定情報の解析結果を蓄積し（Ｓ２６２）、設定完了を用途情報設定解析部２８に通知する（Ｓ２６４）。用途情報設定解析部２８は設定完了通知を受け、呼制御部１８に対して設定完了を通知する（Ｓ２６６）。
【０１５１】
呼制御部１８は、用途情報設定解析部２８からの設定完了通知を受けると、設定結果を応答として作成し（Ｓ２６８）、設定完了通知の呼制御指示を呼制御情報作成・解析部１４に通知する（Ｓ２７０）。呼制御情報作成・解析部１４は、呼制御部１８からの指示に従って呼制御情報を生成し（Ｓ２７２）、生成した呼制御情報を呼制御情報送受信部１２に送信する（Ｓ２７４）。呼制御情報送受信部１２は、呼制御情報作成・解析部１４から受信した呼制御情報をネットワークへ送信する処理を行う（Ｓ２７６）。これにより、呼制御情報がネットワークに送信される（Ｓ２７８）。
【０１５２】
続いて、ネットワーク交換装置１０から送信された呼制御情報（設定応答）を受信した通信端末４０の動作について説明する。図２８は、設定応答の呼制御情報を受信した通信端末４０における用途情報の設定シーケンスを示す図である。
【０１５３】
ネットワーク交換装置１０から呼制御情報が送信されると（Ｓ２７８）、通信端末４０が、呼制御情報送受信部４２によって呼制御情報を受信する（Ｓ２８０）。呼制御情報送受信部４２は、受信した呼制御情報を呼制御情報作成・解析部４４に送信する（Ｓ２８２）。呼制御情報作成・解析部４４は、呼制御情報送受信部４２によって受信した呼制御情報の呼制御情報を解析し（Ｓ２８４）、受信した呼制御情報が設定完了の応答であるとの結果を得る。次に、呼制御情報作成・解析部４４は、用途情報の設定完了を呼制御部４６に通知する（Ｓ２８６）。呼制御部４６は、呼制御処理を行って用途情報設定を完了し（Ｓ２８８）、設定完了を用途情報設定部５４に通知する（Ｓ２９０）。設定完了通知を受けた用途情報設定部５４は、ユーザに対して操作完了を通知し（Ｓ２９２）、用途情報の設定シーケンスが終了する。
【０１５４】
次に、第３の実施の形態の通信端末４０およびネットワーク交換装置１０の接続シーケンスについて説明する。
【０１５５】
図２９は、通信端末４０における接続シーケンスを示す図である。まず、通信端末４０は、呼制御部４６によって接続要求を受け付ける（Ｓ３００）。呼制御部４６は、ユーザ操作により送信先の指定を受け付ける。接続要求を受け付けた呼制御部４６は、接続要求の呼制御指示を呼制御情報作成・解析部４４に通知する（Ｓ３０２）。呼制御情報作成・解析部４４は、呼制御部４６からの指示に従って、シグナリングの呼制御情報を作成し（Ｓ３０４）、作成した呼制御情報を呼制御情報送受信部４２に送信する（Ｓ３０６）。呼制御情報送受信部４２は、呼制御情報作成・解析部４４から送信された呼制御情報をネットワークへ送信する処理を行う（Ｓ３０８）。これにより、呼制御情報がネットワークに送信される（Ｓ３１０）。以上の通信端末４０における接続シーケンスは、接続要求を送信する通常のシーケンスと同様であり、ここで送信される接続要求の呼制御情報も標準の接続要求メッセージ（図２２参照）である。
【０１５６】
図３０は、ネットワーク交換装置１０における接続シーケンスを示す図である。通信端末４０から呼制御情報が送信されると（Ｓ３１０）、ネットワーク交換装置１０は、呼制御情報送受信部１２によって呼制御情報を受信する（Ｓ３１２）。呼制御情報送受信部１２は、受信した呼制御情報を呼制御情報作成・解析部１４に送信する（Ｓ３１４）。呼制御情報作成・解析部１４は、呼制御情報送受信部１２が受信した呼制御情報の標準部分を解析し（Ｓ３１６）、受信した呼制御情報が接続要求であるとの結果を得る。そして、呼制御情報作成・解析部１４は、呼制御情報が接続要求であるという解析結果を呼制御部１８に通知する（Ｓ３１８）。
【０１５７】
呼制御部１８は、呼制御情報作成・解析部１４からの接続要求を受け付けると、用途情報を要求する処理を行い（Ｓ３２０）、用途情報設定解析部２８に用途情報要求を送信する（Ｓ３２２）。これを受信した用途情報設定解析部２８は、接続要求から用途情報を解析する（Ｓ３２４）。用途情報設定解析部２８による用途情報の解析方法としては、送信先アドレスや接続要求を受信した時刻などの接続要求に関する情報に対応する用途情報を用途情報設定蓄積部３０から検索して抽出することにより、接続要求に対応する用途情報を決定する。例えば、接続要求の送信先アドレスが「０３−１２３４−５６７８」である場合、図２４（ａ）に示す分類情報を参照すれば、用途情報は「Ａ」であると決定できる。
【０１５８】
用途情報設定解析部２８は、用途情報設定蓄積部３０に接続要求に関する情報と共に用途情報設定確認を送信する（Ｓ３２６）。用途情報設定蓄積部３０は、蓄積情報から用途情報を検索し、検索された用途情報を用途情報設定解析部２８に通知する（Ｓ３２８）。用途情報設定解析部２８は、用途情報設定蓄積部から用途情報の通知を受けると（Ｓ３３０）、用途情報を呼制御１８に通知する処理を行う（Ｓ３３２）。
【０１５９】
呼制御部１８は、用途情報設定解析部２８から用途情報が通知されると（Ｓ３３４）、通知された用途情報が正しいか否か接続情報制御部２０に確認する処理を行う（Ｓ３３６）。用途情報が決定されて以降の動作については、第１の実施の形態のネットワーク交換装置１０において、接続要求から用途情報を抽出した後の動作と同様である。
【０１６０】
以上、第３の実施の形態の通信端末４０およびネットワーク交換装置１０について説明した。
【０１６１】
第３の実施の形態のネットワーク交換装置１０は、接続要求に関する情報およびその接続要求により確立される接続の用途情報を用途情報設定蓄積部３０に蓄積しておき、用途情報設定解析部２８が、通信端末４０から受信した接続要求に基づいて用途情報を解析する。これにより、接続要求に用途情報が含まれていなくてもネットワーク交換装置１０において用途情報を決定でき、用途情報ごとに接続情報を蓄積することが可能となる。さらにこれにより、ユーザは接続ごとに用途情報を設定しなくてもよいので便利である。
【０１６２】
また、通信端末４０は、用途情報設定部５４を有し、用途情報を分類するための基準を設定することができる。これにより、個々のユーザが柔軟に用途情報の分類基準を決めることができるので便利である。
【０１６３】
第３の実施の形態は、接続要求から用途情報を決定でき、接続情報を蓄積するので、接続情報を管理する装置が通信網上のどこに存在しても、接続情報を用途ごとに分類して管理することができる。すなわち、接続情報管理機能をネットワーク上においてフレキシブルに配置できる。第３の実施の形態では、ネットワーク交換装置１０が通信接続管理装置の機能を有する例について説明したが、通信接続管理装置は、ネットワーク交換装置１０と通信端末４０との間に配置することも可能であり、また、複数のネットワーク交換機の間に設置することもできる。
【０１６４】
また、接続要求から用途情報を決定する機能を担う用途情報設定蓄積部と用途情報解析部は、接続情報を蓄積する機能を担う接続情報制御部と接続情報蓄積部とは別装置に配置されても良い。この場合、接続要求から用途情報を決定する機能を有する装置は、第１の実施の形態における通信端末４０と同様に、用途情報を呼制御情報に含めて送信する機能を有する。また、接続情報を蓄積する機能を有する装置は、第１の実施の形態におけるネットワーク交換装置１０と同様に、接続要求に含まれる用途情報を抽出し、抽出した用途情報に基づいて接続情報を管理する機能を有する。
【０１６５】
このような構成例として、用途情報を決定する機能を家庭内ネットワークのホームゲートウェイサーバに配置し、接続情報を蓄積する機能をネットワーク交換装置１０に配置することができる。
【０１６６】
このような構成では、家庭内の通信端末４０は、通常の呼制御情報を利用して接続要求を発信する。ホームゲートウェイサーバは、接続要求から用途情報を決定し、用途情報を含めた接続要求を送信する。ネットワーク交換装置１０は、接続要求から用途情報を抽出し、抽出した用途情報に基づいて接続情報を管理する。これにより、プライバシーに関わる送信先、または、時間帯に応じた用途情報の設定方法をネットワーク交換装置１０に開示することなく、ネットワーク交換装置１０において接続情報を用途ごとに分類して管理することができるので便利である。なお、家庭内ネットワークのホームゲートウェイサーバを例として説明したが、ローカルサーバやルータ、ＡＤＳＬアダプタ等を用いることができる。
【０１６７】
次に、本発明の第４の実施の形態に係る通信端末４０について説明する。通信端末４０およびネットワーク管理装置が適用される環境は、第１の実施の形態と同じである（図２参照）。
【０１６８】
図３３は、第４の実施の形態に係る通信端末４０の構成を示す図である。第４の実施の形態の通信端末４０は、第３の実施の形態の通信端末４０と基本的な構成は同じであるが、第４の実施の形態の通信端末４０は、さらに接続情報蓄積部５０、接続情報制御部４８および用途情報設定蓄積部５６を備える。
【０１６９】
第４の実施の形態における通信端末４０の接続情報制御部４８は、ユーザ操作により指定された用途に応じて接続情報を分類し、接続情報を作成する機能を有する。接続情報蓄積部５０は、接続情報制御部４８により作成された接続情報を蓄積する機能を有する。接続情報蓄積部５０に蓄積される情報は、第２の実施の形態の通信端末４０の接続情報蓄積部５０に格納される情報と同様である。
【０１７０】
用途情報設定蓄積部５６は、第３の実施の形態におけるネットワーク交換装置１０の用途情報設定蓄積部３０と同様の情報を蓄積する（図２４（ａ）および図２４（ｂ）参照）。
【０１７１】
次に、第４の接続の形態の通信端末４０の動作について説明する。第４の実施の形態における通信端末４０およびネットワーク交換装置１０の基本的な接続動作は、第２の実施の形態の動作と同じである（図１６〜図１８参照）。第４の実施の形態においては、接続ごとにユーザの操作により用途情報を設定するのではなく、用途情報設定蓄積部３０に予め設定された設定情報に基づいて設定する点が第２の実施の形態の動作とは異なる。以下においては、通信端末４０での用途設定情報の設定シーケンスおよび接続シーケンスについて説明する。なお、第４の実施の形態においては、ネットワーク交換装置１０における接続シーケンスは、第２の実施の形態におけるネットワーク交換装置１０と同様である（図２０参照）。
【０１７２】
図３４は、第４の実施の形態の通信端末４０における用途設定情報の設定シーケンスを示す図である。まず、通信端末４０は、用途情報設定部５４により用途情報の設定を受け付ける（Ｓ３５０）。用途情報設定部５４は、ユーザ操作により用途情報の指定を受け付ける。用途情報設定部５４は、受け付けた設定に基づいて用途の設定情報を生成し（Ｓ３５０）、生成した設定情報を用途情報設定蓄積部５６に送信する（Ｓ３５２）。用途情報設定蓄積部３０は、設定情報を蓄積し（Ｓ３５４）、用途情報設定部５４に設定完了を通知する（Ｓ３５６）。用途情報設定部５４は、設定完了通知を受けると、ユーザに対し設定完了を通知する（Ｓ３５８）。以上のシーケンスにより、用途情報を設定するための情報が用途情報設定蓄積部３０に蓄積される。
【０１７３】
図３５は、第４の実施の形態の通信端末４０における接続シーケンスを示す図である。まず、通信端末４０は、ユーザ操作により指定された送信先に対する接続要求を呼制御部１８によって受け付ける（Ｓ３６０）。次に、呼制御部１８は、この接続要求により確立される接続で行われる通信の用途を設定するため、用途情報設定部５４に用途情報要求を送信する（Ｓ３６２）。用途情報設定部５４は、呼制御部１８からの要求を受けて用途情報を確認する（Ｓ３６４）。用途情報設定部５４は、用途情報設定蓄積部５６に用途情報の設定確認を送信する（Ｓ３６６）。用途情報設定蓄積部５６は、蓄積された情報から用途情報を検索し、検索結果を用途情報設定部５４に通知する（Ｓ３６８）。用途情報設定部５４は、用途情報蓄積部５６からの用途情報の通知を受けると（Ｓ３７０）、呼制御部１８に用途情報を通知する処理を行い（Ｓ３７２）、用途情報が呼制御部４６に通知される（Ｓ３７４）。
【０１７４】
図３６を参照しながら、用途情報設定シーケンスの説明を続ける。呼制御部４６は、用途情報設定部５４から用途情報の通知を受けると、通知された用途情報が正しいか否か確認する処理を行う（Ｓ３７６）。呼制御部４６は、接続情報制御部５０に用途情報確認要求を送信する（Ｓ３７８）。接続情報制御部２０は、用途情報が正しいか否か確認し（Ｓ３８０）、確認完了を呼制御部１８に通知する（Ｓ３８２）。呼制御部１８は、確認完了の通知を受けると、接続要求の処理を行い（Ｓ３８４）、接続要求の呼制御指示を呼制御情報作成・解析部４４に通知する（Ｓ３８６）。呼制御情報作成・解析部１４は、呼制御部４６からの指示を受け、呼制御情報（シグナリング）を作成し（Ｓ３８８）、作成した呼制御情報を呼制御情報送受信部に送信する（Ｓ３９０）。ここで作成される呼制御情報は、標準の接続要求メッセージである。呼制御情報送受信部４２は、呼制御情報作成・解析部４４からの呼制御情報をネットワークに送信する処理を行う（Ｓ３９２）。これにより、呼制御情報がネットワークに送信される（Ｓ３９４）。上記接続シーケンス中に用途情報設定部５４により取得された用途情報は、通信端末４０の接続情報蓄積部２２に接続情報を蓄積するときに用いられる。
【０１７５】
以上、本発明の第４の実施の形態の通信端末４０について説明した。
【０１７６】
第４の実施の形態の通信端末４０は、接続要求に関する情報とその接続要求により確立される接続の用途情報とを関連付けて用途情報設定蓄積部３０に蓄積しておく。そして、用途情報設定解析部２８が、ユーザの操作により入力された接続要求に基づいて用途情報を解析する。これにより、ユーザは接続ごとに用途情報を設定しなくてもよいので便利である。
【０１７７】
また、通信端末４０は、用途情報設定部を有し、用途情報設定部によって用途情報を分類するための基準を通信端末４０に設定することができる。これにより、ユーザが柔軟に用途情報の分類基準を決めることができるので便利である。なお、本実施形態では、接続情報を通信端末４０が蓄積する例について説明したが、通信端末４０で用途情報の設定を行い、ネットワーク交換装置１０で蓄積情報を蓄積する構成とすることも可能である。また、第１の実施の形態と同様に、通信端末４０は、用途情報を含めた接続要求を送信するので、接続情報を管理する装置が通信網上のどこに存在しても、接続情報を用途ごとに分類して管理することができる。すなわち、接続情報管理機能をネットワーク上においてフレキシブルに配置できる。
【０１７８】
次に、本発明の第５の実施の形態に係る通信接続管理装置および通信端末について説明する。ここでは、通信接続管理装置の例として、ネットワーク交換装置１０を取り上げて説明する。通信端末４０およびネットワーク管理装置が適用される環境は、第１の実施の形態と同じである（図２参照）。
【０１７９】
図３７は、第５の実施の形態のネットワーク交換装置１０の構成を示す図である。第５の実施の形態のネットワーク交換装置１０は、第１の実施の形態のネットワーク交換装置１０と基本的な構成は同じであるが、さらに呼制御方法設定解析部３２および呼制御方法設定蓄積部３４を備えている点が異なる。
【０１８０】
呼制御方法設定蓄積部３４は、呼制御部１８によって呼を制御するための制御情報を蓄積する。呼制御部１８の制御方法は、接続される通信の用途に応じて定められ、呼制御方法は用途ごとに分類されている。
【０１８１】
図３８は、呼制御方法設定蓄積部３４により蓄積された制御情報の例を示す図である。図３８に示すように、呼制御方法設定蓄積部３４に蓄積されたデータは、「設定番号」「用途情報」「呼制御設定」「設定条件」「時間帯」「上限時間」「通知先アドレス」「予備情報」の各項目を有する。「設定番号」は、制御情報の設定を識別する番号であり、制御情報が設定された順番に付与される。「用途情報」は、制御方法を分類する用途に関する情報である。「呼制御設定」は、次項目である「設定条件」を満たしたときに行う呼制御の内容を表す情報である。「時間帯」は接続の時間帯に関する情報であり、設定条件として時間帯制限が定められている場合には、当該時間帯が通信可能時間帯となる。「上限時間」は所定の期間に接続可能な上限時間に関する情報であり、設定条件として接続時間超過が定められている場合には、当該上限時間が接続可能な上限の時間となる。「通知先アドレス」は、警告の通知先アドレスの情報である。「予備情報」には、システムの設計に応じてさまざまな情報を設定することが可能である。ここでは、呼制御情報を設定する権限を有するユーザに関する情報が設定されている。
【０１８２】
呼制御方法設定解析部３２は、呼制御方法設定蓄積部３４に呼制御情報を設定する機能と、呼制御方法設定蓄積部３４に蓄積された呼制御方法を解析する機能を有する。
【０１８３】
図３９は、第５の実施の形態の通信端末４０の構成を示す図である。第５の実施の形態の通信端末４０は、第１の実施の形態の通信端末４０と同様に、呼制御部４６と、呼制御情報作成・解析部４４と、呼制御情報送受信部４２とを備える。また、第５の実施の形態の通信端末４０は、呼制御方法設定部５８を備える。
【０１８４】
呼制御方法設定部５８は、ユーザの操作により呼制御方法に関する情報を生成する機能を有する。生成された呼制御方法の情報は、ネットワーク交換装置１０に送信され、ネットワーク交換装置１０の呼制御方法設定蓄積部３４に蓄積される。
【０１８５】
次に、第５の実施の形態の通信端末４０およびネットワーク交換装置１０の動作について説明する。図４０〜図４３は呼制御方法の設定シーケンスを示す図、図４４〜４６は通信端末４０とネットワーク交換装置１０の接続シーケンスを示す図である。
【０１８６】
図４０は、通信端末４０における呼制御方法の設定シーケンスを示す図である。まず、通信端末４０の呼制御方法設定部５８が、ユーザ操作により呼制御の設定方法の指定を受け付け、呼制御方法の設定情報を生成する（Ｓ４００）。そして、呼制御方法設定部５８は、生成された呼制御方法の設定要求を呼制御部４６に送信する（Ｓ４０２）。呼制御部４６は、設定要求を受信すると、ユーザ操作により指定された設定を要求する処理を行い（Ｓ４０４）、設定要求の呼制御指示を呼制御情報作成・解析部４４に通知する（Ｓ４０６）。呼制御情報作成・解析部４４は、呼制御部４６からの指示に従って呼制御情報（シグナリング）を作成し（Ｓ４０８）、作成した呼制御情報を呼制御情報送受信部４２に送信する（Ｓ４１０）。呼制御情報送受信部４２は、呼制御情報作成・解析部４４から送信された呼制御情報をネットワークに送信する処理を行う（Ｓ４１２）。これにより、呼制御情報がネットワークに送信される（Ｓ４１４）。ここで、通信端末４０から送信される呼制御情報について、図４７（ａ）および図４７（ｂ）と、図４８（ａ）および図４８（ｂ）を参照しながら説明する。
【０１８７】
図４７（ａ）は、通信端末４０から送信される呼制御情報を示す図である。本実施の形態で送信されるメッセージはＳＩＰメッセージであり、図４７（ｂ）は図４７（ａ）のメッセージが準拠するＳＩＰメッセージ形式を示す図である。
【０１８８】
呼制御方法設定要求の呼制御情報は、呼制御情報設定の要求種別１１２と、シグナリングデータ１１４（要求元アドレス、要求先アドレスなど）とを含む標準部分を有し、標準部分に続く拡張部分に設定情報１１６が記述される。
【０１８９】
図４８（ａ）は呼制御情報設定要求メッセージに含まれる設定情報の詳細の項目を示す図であり、図４８（ｂ）は設定情報の一例を示す図である。図４８（ａ）に示すように、設定情報には、設定種別１３０、用途情報１３２、対象設定種別１３４、設定条件１３６、設定パラメータ１３８、予備情報１４０が順に記述される。
【０１９０】
設定種別１３０は、設定情報により設定すべき内容を示す情報である。ここでは、図４４（ｂ）に示すように、呼制御設定という値が記述されている。用途情報１３２は、呼制御方法に基づく制御を行う通信の用途を示す情報である。ここでは、用途「Ａ」に関して呼制御方法が設定される。対象設定種別１３４は、呼制御方法の設定内容に関する情報である。ここでは、用途変更が設定されており、条件を満たした場合には、用途を変更する制御が行われる。設定条件１３６は、対象設定種別１３４が実行される条件に関する情報である。ここでは、接続時間超過時が設定されている。設定パラメータ１３８は、対象設定種別１３４および設定条件１３６の具体的なパラメータが設定されている。この例では、設定パラメータ１３８は、用途「Ｂ」、１２時間と記述されている。これは、１２時間の上限を超えたときに用途を「Ａ」から「Ｂ」に変更する設定である。予備情報１４０には、システムの設計に応じてさまざまな情報を設定することが可能である。ここでは、呼制御方法を設定したユーザに関する情報が記述されている。なお、この呼制御情報は、ユーザの操作に基づいて、通信端末４０の呼制御情報作成・解析部４４によって作成される。
【０１９１】
図４１は、通信端末４０から送信された呼制御情報を受信したネットワーク交換装置１０における呼制御情報設定シーケンスを示す図である。通信端末４０から呼制御情報が送信されると（Ｓ４１４）、ネットワーク交換装置１０は呼制御情報送受信部１２によって呼制御情報を受信する（Ｓ４１６）。呼制御情報送受信部１２は、受信した呼制御情報を呼制御情報作成・解析部１４に送信する（Ｓ４１８）。呼制御情報作成・解析部１４は、受信した呼制御情報の標準部分を解析し（Ｓ４２０）、呼制御情報が呼制御方法設定要求であるとの結果を得る。そして、呼制御情報作成・解析部１４は、呼制御方法設定要求の呼制御情報を受信したことを呼制御部１８に通知する（Ｓ４２２）。
【０１９２】
呼制御部１８は、呼制御情報送受信部１２からの呼制御方法設定要求の通知を受け付け、呼制御方法を設定する処理を行う（Ｓ４２４）。呼制御部１８は、呼制御方法設定解析部３２に呼制御情報の設定要求を送信する（Ｓ４２６）。呼制御方法設定解析部３２は、呼制御部１８から送信された呼制御方法の設定要求を受けると、呼制御情報の拡張部分である呼制御設定情報を解析する（Ｓ４２８）。そして、呼制御方法設定解析部３２は、解析によって得られた設定情報を呼制御方法設定蓄積部３４に送信し（Ｓ４３０）、呼制御方法設定蓄積部３４が呼制御方法の設定を蓄積する（Ｓ４３２）。
【０１９３】
図４２を参照しながら、ネットワーク交換装置１０における呼制御情報設定シーケンスの説明を続ける。呼制御方法設定解析部３２は、呼制御方法設定蓄積部３４からの設定完了通知を受けると（Ｓ４３４）、呼制御部１８に対して設定完了を通知する処理を行う（Ｓ４３６）。呼制御部１８は、呼制御方法設定解析部３２からの設定完了通知を受けると（Ｓ４３８）、応答として設定結果を送信する指示を行い（Ｓ４４０）、呼制御指示を呼制御情報作成・解析部１４に通知する（Ｓ４４２）。呼制御情報作成・解析部１４は、呼制御部１８から送信された呼制御指示を受信すると、指示された呼制御情報（応答）の生成処理を行い（Ｓ４４４）、作成した呼制御情報を呼制御情報送受信部１２に送る（Ｓ４４６）。呼制御情報送受信部１２は、呼制御情報作成・解析部１４から受け取った呼制御情報をネットワークに送信する処理を行う（Ｓ４４８）。これにより、設定完了の呼制御情報がネットワークに送信される（Ｓ４５０）。
【０１９４】
図４３は、ネットワーク交換装置１０から送信された応答の呼制御情報を受け取った通信端末４０の動作を説明するための図である。ネットワーク交換装置１０から呼制御情報が送信されると（Ｓ４５０）、通信端末４０は、呼制御情報送受信部４２によって呼制御情報を受信する（Ｓ４５２）。呼制御情報送受信部４２は、受信した呼制御情報を呼制御情報作成・解析部４４に送信する（Ｓ４５４）。呼制御情報作成・解析部４４は、受信した呼制御情報を解析し（Ｓ４５６）、呼制御情報が設定応答であるとの結果を得る。そして、呼制御情報作成・解析部４４は、受信した呼制御情報が設定要求の完了通知であることを呼制御部４６に通知する（Ｓ４５８）。呼制御部４６は、呼制御情報作成・解析部４４からの設定要求完了通知を受けると、呼制御処理を行い、呼制御方法の設定を完了し（Ｓ４６０）、呼制御方法設定部５８に設定要求の完了を通知する（Ｓ４６２）。呼制御方法設定部５８は、ユーザに対して操作が完了したことを通知する（Ｓ４６４）。
【０１９５】
次に、第５の実施の形態の通信端末４０およびネットワーク交換装置１０の接続シーケンスについて説明する。
【０１９６】
図４４は、第５の実施の形態の通信端末４０における接続シーケンスを示す図である。まず、通信端末４０の呼制御部４６が、ユーザ操作により指定された送信先に対する接続要求を受け付ける（Ｓ４７０）。
【０１９７】
呼制御部４６は、ユーザ操作により指示された接続要求の呼制御指示を呼制御情報作成・解析部４４に通知する（Ｓ４７２）。呼制御情報作成・解析部４４は、呼制御部４６からの指示に従って呼制御情報（シグナリング）を作成し（Ｓ４７４）、作成した呼制御情報を呼制御情報送受信部４２に送信する（Ｓ４７６）。呼制御情報送受信部４２は、呼制御情報作成・解析部４４から送られた呼制御情報をネットワークに対して送信する処理を行う（Ｓ４７８）。これにより、接続要求の呼制御情報がネットワークに送信される（Ｓ４８０）。この際、用途情報の設定は、第１の実施の形態、第３の実施の形態またはその変形例における通信端末４０の接続シーケンスと同様の動作により行うことができる。
【０１９８】
図４５は、通信端末４０から送信された接続要求の呼制御情報を受信したネットワーク交換装置１０の接続シーケンスを示す図である。通信端末４０から呼制御情報が送信されると（Ｓ４８０）、ネットワーク交換装置１０は、呼制御情報送受信部１２により、通信端末４０からの呼制御情報を受信する（Ｓ４８２）。呼制御情報送受信部１２は、受信した呼制御情報を呼制御情報作成・解析部１４に送信する（Ｓ４８４）。呼制御情報作成・解析部１４は、受信した呼制御情報の標準部分を解析し（Ｓ４８６）、呼制御情報が接続要求であるとの解析結果を得る。そして、呼制御情報作成・解析部１４は、接続要求を受信したことを呼制御部１８に通知する（Ｓ４８８）。この際、用途情報の抽出は、第１の実施の形態、第３の実施の形態またはその変形例におけるネットワーク交換装置１０の接続シーケンスと同様の動作により行うことができる。
【０１９９】
呼制御部１８は、呼制御情報作成・解析部１４からの接続要求の通知を受けると、呼制御設定を確認する処理を行う（Ｓ４９０）。呼制御部１８は、呼制御方法設定解析部３２に設定情報要求を送信する（Ｓ４９２）。呼制御方法設定解析部３２は、呼制御部１８から送信された呼制御の設定情報要求を受信すると、呼制御方法の設定情報を確認する（Ｓ４９４）。呼制御方法設定解析部３２は、呼制御方法設定蓄積部３４に呼制御設定確認を送信する（Ｓ４９６）。呼制御設定蓄積部３４は、接続要求に対応する呼制御方法の設定情報を取得し（Ｓ４９８）、確認完了を呼制御方法設定解析部３２に通知する（Ｓ５００）。これにより、呼制御方法設定解析部３２は、接続要求に含まれる用途情報に対応する呼制御方法を呼制御方法設定蓄積部３４から抽出する。
【０２００】
図４６を参照しながら、ネットワーク交換装置１０の接続シーケンスについての説明を続ける。呼制御方法設定解析部３２は、呼制御方法設定蓄積部３４から確認完了の通知を受けると、呼制御部１８に呼制御方法の設定情報を通知する（Ｓ５０２）。呼制御部１８は、呼制御方法の設定情報の通知を受けると（Ｓ５０４）、用途情報から接続情報を確認する処理を行う（Ｓ５０６）。呼制御部１８は、接続情報制御部２０に用途情報に対応する接続情報要求を送信する（Ｓ５０８）。接続情報制御部２０は、接続情報要求を受けると、接続情報を確認する処理を行い（Ｓ５１０）、接続情報蓄積部２２に接続情報確認を送信する（Ｓ５１２）。接続情報蓄積部２２は、接続情報を取得して（Ｓ５１４）、接続情報制御部２０に確認完了を通知する（Ｓ５１６）。確認完了を受けた接続情報制御部２０は、呼制御部１８に接続情報を通知する（Ｓ５１８）。
【０２０１】
呼制御部１８は、接続情報制御部２０からの接続情報の通知を受けると（Ｓ５２０）、ステップＳ５０４で取得した呼制御情報とステップＳ５２０で取得した接続情報とに基づいて、呼制御方法を決定し（Ｓ５２２）、決定された制御方法に基づいて通信制御を行う。以下、呼制御部１８が行う通信制御について、呼制御方法の設定例を挙げて具体的に説明する。
【０２０２】
通常通り接続を許可する場合には、第１の実施の形態のネットワーク交換装置１０と同様の動作を行う（図８参照）。
【０２０３】
例えば、図３８に示す呼制御方法設定蓄積部３４の設定番号１または２に記載された呼制御設定のように通信の用途が変更される場合には、呼制御部１８は、変更先の用途情報が正しいか否かを接続情報制御部２０に問い合わせ、接続情報制御部２０が接続情報蓄積部２２を検索して接続情報を確認する。呼制御部１８は、接続情報制御部２０から確認完了の通知を受けると、以下、第１の実施の形態のネットワーク交換装置１０と同様の動作を行う（図８参照）。
【０２０４】
図３８に示す呼制御方法設定蓄積部３４の設定番号３に記載された呼制御設定のように切断または拒否がなされる場合には、呼制御部１８は、応答として接続拒否の応答を通信端末４０に送信する。
【０２０５】
以上、本発明の第５の実施の形態のネットワーク交換装置１０および通信端末４０について説明した。
【０２０６】
第５の実施の形態のネットワーク交換装置１０は、呼制御方法設定蓄積部３４に呼制御部１８による制御方法に関する情報を用途情報に関連付けて蓄積している。そして、通信端末４０から送信された接続要求により確立される接続により行われる通信の用途に基づいて、呼制御方法設定解析部３２が呼制御方法設定蓄積部３４から呼制御方法の設定情報を取得する。従って、取得した呼制御方法の設定情報に基づいて、その呼制御部１８による接続の制御を行うことにより、用途に応じた通信制御を実現することが可能である。
【０２０７】
本実施形態では、通信の時間帯や通信時間の上限により、呼制御の条件を設定しているが、例えば通信料金などのその他の条件により、呼制御の条件を設定することも可能である。
【０２０８】
また、本実施形態では、接続要求を受信したときに、呼制御情報設定蓄積部３４に蓄積された呼制御情報に基づいて、呼制御部１８が通信制御を行う例について説明したが、呼制御部１８による通信制御は通信の接続中に行うことも可能である。
【０２０９】
図４９は、通信接続中に通信制御を行うシーケンスを示す図である。本実施の形態と同様に、呼制御部１８は、通信接続時に呼制御方法設定蓄積部３４から呼制御方法の設定情報を取得して保持している。ここでは、通信の用途は「Ａ」であり、図３８に示す呼制御方法設定蓄積部３４の設定番号１に基づいて呼制御される例について説明する。呼制御部１８は、通信端末間の通信接続中に（Ｓ５３０）、接続情報の確認を行い（Ｓ５３２）、接続情報制御部２０に情報取得要求を送信する（Ｓ５３４）。接続情報制御部２０は、情報取得要求を受信すると、接続情報確認処理を行う（Ｓ５３６）。なお、接続情報確認処理は、上記した実施の形態で説明した方法と同様の方法で行う。接続情報制御部２０は、取得した接続情報を呼制御部１８に通知する（Ｓ５３８）。
【０２１０】
呼制御部１８は、接続情報制御部２０から接続情報が通知されると、通知された接続情報と保持している呼制御設定情報とに基づいて、制御方法を決定する（Ｓ５４０）。ここでは、接続情報から通信時間を求め、これまでの通信時間と合わせて月当たりの総通信時間を求める。総通信時間が１２時間を超える場合には、通信の切断処理を行うことを決定し（Ｓ５４２）、総通信時間が１２時間を超えない場合には引き続き通信を維持する。呼制御部１８が接続情報制御部２０から接続情報を取得し、呼制御方法の設定情報に基づく制御方法の判定をするステップＳ５３２〜Ｓ５４０の動作は、通信接続中に定期的に行う。
【０２１１】
続いて、通信時間が上限を超え、ネットワーク交換装置１０が切断処理を行う動作について説明する。呼制御方法の設定情報および接続情報に基づいて通信の切断処理を行うことが決定された場合（Ｓ５４２）、呼制御部１８は切断の呼制御指示を呼制御情報作成・解析部１４に通知する（Ｓ５４４）。呼制御情報作成・解析部１４は、呼制御部１８からの呼制御指示に基づいて呼制御情報を作成し、呼制御情報送受信部１２に送信する（Ｓ５４６）。呼制御情報送受信部１２は、呼制御情報作成・解析部１４から送信された呼制御要求を受けると、切断指示の呼制御情報をネットワークに送信する（Ｓ５４８）。
【０２１２】
このように、通信接続中に接続情報を取得して呼制御設定情報に基づく処理を行うことにより、通信接続中も通信時間や接続料金が上限を超えないように監視できる。
【０２１３】
本実施の形態においては、通信端末４０とネットワーク交換装置１０の二装置に、用途情報を決定する機能と用途情報に基づいて接続情報を管理する機能を配置する例について説明したが、第４の実施の形態の変形例と同様に、用途情報を決定する機能と接続情報を管理する機能を別装置に配置し、用途情報を決定する機能を担う装置が追加されても良い。
【０２１４】
本実施の形態においては、接続情報蓄積機能と呼制御方法設定蓄積機能を同装置内に配置している例について説明したが、これらの機能を別々の装置に配置することも可能である。
【０２１５】
次に、本発明の第６の実施の形態に係る通信端末４０について説明する。通信端末４０およびネットワーク管理装置が適用される環境は、第１の実施の形態と同じである（図２参照）。
【０２１６】
図５０は、第６の実施の形態に係る通信端末４０の構成を示す図である。第６の実施の形態の通信端末４０は、第４の実施の形態の通信端末４０と基本的な構成は同じであるが、第６の実施の形態の通信端末４０は、さらに呼制御方法設定蓄積部６０および呼制御方法設定部５８を備える。
【０２１７】
呼制御方法設定蓄積部６０は、呼制御部４６による通信制御に用いられる情報を蓄積する機能を有する。呼制御部４６の制御方法は、接続される通信の用途に応じて定められており、呼制御方法の設定情報は用途情報ごとに分類されている。呼制御方法設定蓄積部６０に蓄積される情報は、第５の実施の形態のネットワーク交換装置１０の呼制御方法設定蓄積部３４と同様である。また、呼制御方法設定部５８は、第５の実施の形態のネットワーク交換装置１０の呼制御方法設定部３２と同様の機能を有する。
【０２１８】
次に、第６の実施の形態の通信端末４０の動作について説明する。第６の実施の形態における通信端末４０およびネットワーク交換装置１０の基本的な接続動作は、第２の実施の形態の動作と同じである（図１６〜図１８参照）が、第６の実施の形態においては、用途に応じて呼制御を行う点が第２の実施の形態の動作とは異なる。以下においては、通信端末４０での呼制御方法の設定シーケンスおよび接続シーケンスについて説明する。なお、第６の実施の形態において、ネットワーク交換装置１０による接続シーケンスは、第２の実施の形態におけるネットワーク交換装置１０と同様である（図２０参照）。
【０２１９】
図５１は、第６の実施の形態の通信端末４０の呼制御方法の設定シーケンスを示す図である。まず、通信端末４０の呼制御方法設定部５８が、ユーザ操作により呼制御の設定方法の指定を受け付け、呼制御方法の設定情報を生成する（Ｓ５６０）。呼制御方法設定部５８は、生成した呼制御方法の設定情報を呼制御方法設定蓄積部６０に送信し（Ｓ５６２）、呼制御方法設定蓄積部６０が呼制御方法設定情報を蓄積する（Ｓ５６４）。呼制御方法設定部５８は、呼制御情報設定蓄積部６０からの設定完了の通知を受けると（Ｓ５６６）、ユーザに対して操作完了を通知する（Ｓ５６８）。以上のシーケンスにより、ユーザにより定められた呼制御方法の設定情報が呼制御方法設定蓄積部６０に蓄積される。
【０２２０】
図５２は、第６の実施の形態の通信端末４０による接続シーケンスを示す図である。まず、通信端末４０の呼制御部４６がユーザ操作により指定された接続要求を受け付ける（Ｓ５７０）。接続要求を受け付けた呼制御部４６は、接続要求に関する情報に基づいて用途情報を取得する（Ｓ５７０）。ここで用途情報を取得する方法としては、第２の実施の形態の通信端末４０と同様の方法を採用することができる。
【０２２１】
次に、通信端末４０の呼制御部４６は、呼制御方法設定部５８に対して呼制御方法設定要求を送信し（Ｓ５７２）、これを受信した呼制御方法設定部５８は、呼制御方法の設定情報を確認する処理を行う（Ｓ５７４）。呼制御方法設定部５８は、呼制御方法設定確認を呼制御情報蓄積部６０に通知し（Ｓ５７６）、この通知を受けた呼制御方法設定蓄積部６０は通信の用途に基づいて呼制御方法設定情報を取得し（Ｓ５７８）、呼制御方法設定部５８に確認完了を通知する（Ｓ５８０）。呼制御方法設定部５８は、呼制御情報設定蓄積部６０からの確認完了を受けると（Ｓ５８０）、呼制御部１８に呼制御方法の設定情報を通知する（Ｓ５８２）。
【０２２２】
呼制御部１８は、呼制御方法の設定情報の通知を受けると（Ｓ５８２）、接続情報を確認する処理を行う（Ｓ５８４）。呼制御部４６は、接続情報制御部５０に接続情報要求を送信し（Ｓ５８６）、これを受けた接続情報制御部５０は、接続情報を確認する（Ｓ５８８）。接続情報制御部５０は、接続情報蓄積部５２に接続情報確認要求を送信し（Ｓ５９０）、接続情報蓄積部５２が接続情報を取得する（Ｓ５９２）。ここで、接続情報蓄積部５２は、用途情報に対応する接続情報を取得する。
【０２２３】
図５３を参照しながら、第６の実施の形態の通信端末４０の接続シーケンスの説明を続ける。接続情報制御部５０は、接続情報蓄積部５２から確認完了の通知を受けると（Ｓ５９４）、呼制御部４６に接続情報を通知する（Ｓ５９６）。
【０２２４】
呼制御部４６は、接続情報制御部５０からの接続情報の通知を受けると（Ｓ５９８）、取得した呼制御設定情報および接続情報に基づいて通信の制御方法を決定し（Ｓ６００）、その決定に基づいて通信制御を行う。以下、呼制御部４６が行う通信制御について、呼制御方法の設定例を挙げて具体的に説明する。
【０２２５】
通常通り接続を許可する場合には、図１６〜図１８に示すフローと同様に、通信端末４０は接続要求の呼制御情報をネットワーク交換装置１０に送信する動作を行う。
【０２２６】
例えば、図３８に示す呼制御方法設定蓄積部３４の設定番号１または２に記載された呼制御設定のように通信の用途が変更される場合には、変更先の用途情報が正しいか否かを接続情報制御部５０に問い合わせ、接続情報制御部５０が接続情報蓄積部５２を検索して接続情報を確認する。呼制御部４６は、接続情報制御部５０から確認完了の通知を受けると、以下、図１６〜１８に示すフローと同様に、接続要求の呼制御情報をネットワーク交換装置１０に送信する動作を行う。
【０２２７】
図３８に示す呼制御方法設定蓄積部３４の設定番号３に記載された呼制御設定のように切断または拒否がなされる場合には、呼制御部４６は接続拒否をユーザに通知する。
【０２２８】
以上、本発明の第６の実施の形態のネットワーク交換装置１０および通信端末４０について説明した。
【０２２９】
第６の実施の形態のネットワーク交換装置１０は、呼制御方法に関する情報を用途情報に関連付けて呼制御方法設定蓄積部６０に蓄積する。そして、接続要求により確立される接続により行われる通信の用途に基づいて、呼制御方法設定部５８が呼制御方法設定蓄積部６０から呼制御情報を取得する。そして、取得して呼制御方法に基づいて、その接続の制御を行うことにより、用途に応じた通信制御を実現することが可能である。
【０２３０】
本実施の形態では、通信の時間帯や通信時間の上限により、呼制御の条件を設定しているが、例えば通信料金などのその他の条件により、呼制御の条件を設定することも可能である。また、用途情報は、第２の実施の形態または第４の実施の形態において説明した方法により決定することも可能である。
【０２３１】
また、図５４に示すように、送信先に基づいて通信制御を行う構成とすることもできる。例えば、図５４の設定番号１を例に説明すると、送信先Ｚへの接続について上限時間が設定されており、送信先Ｚへの接続が上限時間を超えた場合に用途情報が変更される。このような設定により、送信先に応じて通信制御方法を変えることができる。なお、この設定は、第５実施形態にも適用することができる。
【０２３２】
また、第５の実施の形態において説明したように、通信接続中に呼制御方法に関する情報に基づく通信制御を行うことも可能である。
【産業上の利用可能性】
【０２３３】
以上説明したように、本発明は、接続要求に含まれる用途情報を抽出する構成により、抽出した用途情報に基づいて接続要求により確立される接続の接続情報を管理することができるというすぐれた効果を有するものであり、通信端末から通信ネットワークへの接続を管理する通信接続管理装置および通信接続管理方法等として有用である。
【図面の簡単な説明】
【０２３４】
【図１】第１の実施の形態のネットワーク交換装置の構成を示す図
【図２】本実施の形態のネットワーク交換装置および通信端末が適用される環境を示す図
【図３】接続情報蓄積部に蓄積されるデータの例を示す図
【図４】第１の実施の形態の通信端末の構成を示す図
【図５】通信端末およびネットワーク交換装置の動作の概略を示す図
【図６】通信端末における接続シーケンスを示す図
【図７】ネットワーク交換装置における接続シーケンスを示す図
【図８】ネットワーク交換装置における接続シーケンスを示す図
【図９】（ａ）通信端末から送信される呼制御情報のメッセージを示す図  （ｂ）呼制御情報メッセージが準拠するＳＩＰメッセージ形式を示す図
【図１０】（ａ）ネットワーク交換装置から送信される呼制御情報のメッセージを示す図  （ｂ）呼制御情報メッセージが準拠するＳＩＰメッセージ形式を示す図
【図１１】第１の実施の形態のネットワーク交換装置の変形例を示す図
【図１２】第１の実施の形態のネットワーク交換装置の変形例を示す図
【図１３】第２の実施の形態の通信端末の構成を示す図
【図１４】第２の実施の形態のネットワーク交換装置の構成を示す図
【図１５】課金情報蓄積部に蓄積されるデータの例を示す図
【図１６】通信端末およびネットワーク交換装置の動作を示す図
【図１７】通信端末およびネットワーク交換装置の動作を示す図
【図１８】通信端末およびネットワーク交換装置の動作を示す図
【図１９】通信端末における接続シーケンスを示す図
【図２０】ネットワーク交換装置における接続シーケンスを示す図
【図２１】（ａ）通信端末に課金情報を通知するための呼制御情報の構成を示す図  （ｂ）呼制御情報メッセージが準拠するＳＩＰメッセージ形式を示す図
【図２２】（ａ）通信端末から送信される呼制御情報のメッセージを示す図  （ｂ）呼制御情報メッセージが準拠するＳＩＰメッセージ形式を示す図
【図２３】第３の実施の形態のネットワーク交換装置の構成を示す図
【図２４】（ａ）用途情報設定蓄積部に蓄積される分類情報の例を示す図  （ｂ）用途情報設定蓄積部に蓄積される用途関連情報の例を示す図
【図２５】第３の実施の形態の通信端末の構成を示す図
【図２６】通信端末における用途情報の設定シーケンスを示す図
【図２７】ネットワーク交換装置における用途情報の設定シーケンスを示す図
【図２８】通信端末における用途情報の設定シーケンスを示す図
【図２９】通信端末における接続シーケンスを示す図
【図３０】ネットワーク交換装置における接続シーケンスを示す図
【図３１】（ａ）用途情報設定要求の呼制御情報メッセージを示す図  （ｂ）呼制御情報メッセージが準拠するＳＩＰメッセージ形式を示す図
【図３２】（ａ）用途情報設定要求メッセージに含まれる設定情報の詳細の項目を示す図  （ｂ）設定情報の一例を示す図
【図３３】第４の実施の形態の通信端末の構成を示す図
【図３４】通信端末における用途情報の設定シーケンスを示す図
【図３５】通信端末における接続シーケンスを示す図
【図３６】通信端末における接続シーケンスを示す図
【図３７】第５の実施の形態のネットワーク交換装置の構成を示す図
【図３８】呼制御方法設定蓄積部に蓄積された制御情報の例を示す図
【図３９】第５の実施の形態の通信端末の構成を示す図
【図４０】通信端末における呼制御方法の設定シーケンスを示す図
【図４１】ネットワーク交換装置における呼制御方法の設定シーケンスを示す図
【図４２】ネットワーク交換装置における呼制御方法の設定シーケンスを示す図
【図４３】通信端末における呼制御方法の設定シーケンスを示す図
【図４４】通信端末における接続シーケンスを示す図
【図４５】ネットワーク交換装置における接続シーケンスを示す図
【図４６】ネットワーク交換装置における接続シーケンスを示す図
【図４７】（ａ）呼制御方法設定要求の呼制御情報メッセージを示す図  （ｂ）呼制御情報メッセージが準拠するＳＩＰメッセージ形式を示す図
【図４８】（ａ）呼制御方法設定要求メッセージに含まれる設定情報の詳細の項目を示す図  （ｂ）設定情報の一例を示す図
【図４９】第５の実施の形態のネットワーク交換装置の動作を示す図
【図５０】第６の実施の形態の通信端末の構成を示す図
【図５１】通信端末における呼制御方法の設定シーケンスを示す図
【図５２】通信端末における接続シーケンスを示す図
【図５３】通信端末における接続シーケンスを示す図
【図５４】第６の実施の形態の変形例を説明するための図
【符号の説明】
【０２３５】
１０  ネットワーク交換装置
１２  呼制御情報送受信部
１４  呼制御情報作成・解析部
１６  用途情報解析部
１８  呼制御部
２０  接続情報制御部
２２  接続情報蓄積部
４０  通信端末
４２  呼制御情報送受信部
４４  呼制御情報作成・解析部
４６  呼制御部
８０  通信ネットワーク
【図１】
2005191809.tif 000003
【図２】
2005191809.tif 000004
【図３】
2005191809.tif 000005
【図４】
2005191809.tif 000006
【図５】
2005191809.tif 000007
【図６】
2005191809.tif 000008
【図７】
2005191809.tif 000009
【図８】
2005191809.tif 000010
【図９】
2005191809.tif 000011
【図１０】
2005191809.tif 000012
【図１１】
2005191809.tif 000013
【図１２】
2005191809.tif 000014
【図１３】
2005191809.tif 000015
【図１４】
2005191809.tif 000016
【図１５】
2005191809.tif 000017
【図１６】
2005191809.tif 000018
【図１７】
2005191809.tif 000019
【図１８】
2005191809.tif 000020
【図１９】
2005191809.tif 000021
【図２０】
2005191809.tif 000022
【図２１】
2005191809.tif 000023
【図２２】
2005191809.tif 000024
【図２３】
2005191809.tif 000025
【図２４】
2005191809.tif 000026
【図２５】
2005191809.tif 000027
【図２６】
2005191809.tif 000028
【図２７】
2005191809.tif 000029
【図２８】
2005191809.tif 000030
【図２９】
2005191809.tif 000031
【図３０】
2005191809.tif 000032
【図３１】
2005191809.tif 000033
【図３２】
2005191809.tif 000034
【図３３】
2005191809.tif 000035
【図３４】
2005191809.tif 000036
【図３５】
2005191809.tif 000037
【図３６】
2005191809.tif 000038
【図３７】
2005191809.tif 000039
【図３８】
2005191809.tif 000040
【図３９】
2005191809.tif 000041
【図４０】
2005191809.tif 000042
【図４１】
2005191809.tif 000043
【図４２】
2005191809.tif 000044
【図４３】
2005191809.tif 000045
【図４４】
2005191809.tif 000046
【図４５】
2005191809.tif 000047
【図４６】
2005191809.tif 000048
【図４７】
2005191809.tif 000049
【図４８】
2005191809.tif 000050
【図４９】
2005191809.tif 000051
【図５０】
2005191809.tif 000052
【図５１】
2005191809.tif 000053
【図５２】
2005191809.tif 000054
【図５３】
2005191809.tif 000055
【図５４】
2005191809.tif 000056